(57)【要約】【課題】パターンを模型から取り外す際の変形を無くすことができ、ひいては、適合精度が高い歯科用補綴物を容易に作製することを可能とする歯科鋳造用パターンの作製方法を提供する。【解決手段】本発明に係る歯科鋳造用パターンの作製方法は、口腔内印象に基づいて作製された模型の表面の所望の領域の上に、ゴム弾性を有する第一の分離材を用いて第一の分離層を形成し、第一の分離層の上に、油性の第二の分離材を用いて第二の分離層を積層形成し、第二の分離層の上に、重合レジンを塗布ないし築盛してパターンのベース部を形成し、重合レジンの硬化後、ベース部の上に、ワックスを塗布ないし築盛してパターンの表層部を形成し、これにより、ベースの上に表層部が積層されたパターンを作製し、このパターンを鋳型の形成に用いる。【選択図】図１
2019076686.tif 000002
【特許請求の範囲】
【請求項１】
口腔内印象に基づいて作製された模型の表面の所望の領域の上に、ゴム弾性を有する第一の分離材を用いて第一の分離層を形成し、
該第一の分離層の上に、油性の第二の分離材を用いて第二の分離層を積層形成し、
該第二の分離層の上に、重合レジンを塗布ないし築盛してパターンのベース部を形成し、
前記重合レジンの硬化後、前記ベース部の上に、ワックスを塗布ないし築盛してパターンの表層部を形成し、
これにより、前記ベース部の上に前記表層部が積層されたパターンを作製し、
該パターンを鋳型の形成に用いる
歯科鋳造用パターンの作製方法。
【請求項２】
前記第一の分離材は、ラテックス系の分離材であり、前記第二の分離材は、ワセリン系の分離材である請求項１に記載の歯科鋳造用パターンの作製方法。
【請求項３】
前記第二の分離層の平均厚みは、前記第一の分離層の平均厚みよりも小さい請求項１又は２に記載の歯科鋳造用パターンの作製方法。
【請求項４】
前記パターンの前記ベース部の平均厚みは、前記パターンの前記表層部の平均厚みよりも大きい請求項１ないし３のいずれか１項に記載の歯科鋳造用パターンの作製方法。
【発明の詳細な説明】
【技術分野】
【０００１】
本発明は、歯科用補綴物あるいはそのパーツを鋳造により作製するにあたり、鋳型の形成に必要となる歯科鋳造用パターンの作製方法に関する。
【背景技術】
【０００２】
従来より、歯科用補綴物あるいはそのパーツを作製する鋳造法としては、ロストワックス法が一般的である。ロストワックス法とは、所望の形状のパターンをワックスで作製し、このパターンを鋳型材の中に埋没させ、鋳型材を硬化させた後、鋳型材を加熱してワックスを溶解、除去することで、内部に空間を有する鋳型を形成し、この空間に溶融金属を流し込む、という方法である。
【０００３】
また、ロストワックス法は、作製対象物によって、さらに二つに分けられる。第１の方法は、金属床義歯などの形状・面積が大きいものを作製する場合の方法であり、第２の方法は、クラウン（歯冠）などの形状が小さいものを作製する場合の方法である。
【０００４】
第１の方法は、次のような方法である（例えば、特許文献１を参照）。
（１）口腔内印象に基づいて作製された本模型から再度印象採得して雌型を作製し、雌型から鋳型材を用いて本模型の複模型を作製する。
（２）複模型の上にワックスを築盛して所望の形状のパターンを作製する。
（３）パターンが取り付けられまま複模型を下部鋳型とし、下部鋳型の周囲を円筒状の埋没用リングで覆い、埋没用リングの中に鋳型材を投入してパターンを鋳型材の中に埋没させた後、鋳型材を硬化させる。
（４）鋳型材を加熱してワックスを溶解、除去することで、内部に空間を有する鋳型を形成する。
（５）空間に溶融金属を流し込み、溶融金属が冷却して固化してから、鋳型を割って鋳造体を採取する。
【０００５】
第２の方法は、次のような方法である（例えば、特許文献２を参照）。
（１）口腔内印象に基づいて作製された本模型の上にワックスを築盛して所望の形状のパターンを作製する。
（２）パターンを本模型から取り外し、鋳型材の中に埋没させた後、鋳型材を硬化させる。
（３）鋳型材を加熱してワックスを溶解、除去することで、内部に空間を有する鋳型を形成する。
（４）鋳型の空間に溶融金属を流し込み、溶融金属が冷却して固化してから、鋳型を割って鋳造体を採取する。
【０００６】
しかし、第１の方法にあっては、次のような問題がある。
（１）鋳造工程で生じる鋳造収縮を考慮してパターンを大きめに作製する必要があることから、複模型を本模型と同じ大きさに作製するのではなく、複模型の硬化膨張を考慮しつつ複模型を本模型よりも大きめに作製する必要があるが、これは、作製者の経験や技能等によって左右される不確実なものである。そして、うまくいかなかった場合は、歯科用補綴物の適合精度が低くなるため、これを満足させるために後工程の作業（曲げ調整や研磨等の調整作業）に多くの時間をかけなければならない。
（２）雌型及び複模型を作製する必要があり、また、複模型に対応して大きめの埋設用リングを用いることで、鋳型材の使用量が多くなるため、製造コストが高くなる。
【０００７】
そこで、金属床義歯の金属床とクラスプとを別々に作製した後、両者を合体させて金属床義歯を作製するようにすれば、金属床のパターンとクラスプのパターンとは本模型から取り外しやすくなるので、第２の方法によって作製可能となる、すなわち、雌型及び複模型を作製する必要がなくなる、という発明も提案されている（特許文献３）。
【０００８】
しかし、第２の方法にあっては、次のような問題がある。
（１）ワックスは軟質であるため、パターンを本模型から取り外す際に、パターンに力が加わり、パターンが微小に変形することがある。そして、パターンが変形すると、歯科補綴物の装着適合性が悪くなるため、これを満足させるために鋳造工程後の後工程の作業（鋳造体の曲げ調整や研磨等の調整作業）に多くの時間をかけなければならない。
（２）ワックスの代わりに重合レジンを用いれば、パターンの硬度が増すため、パターンを取り外す際の変形は抑えられる（特許文献３）。しかし、それでも、作製対象物の形状・面積が大きいものについては、変形による影響を無視し得ない。金属床のような肉厚が少ないパーツや、肉厚が少ない部分や細い部分を有するパーツについては、なおさらである。
【先行技術文献】
【特許文献】
【０００９】
【特許文献１】特開平５−１６８６５２号公報
【特許文献２】特開平１０−２４８８５８号公報
【特許文献３】特開２０１３−２５５６２７号公報
【発明の概要】
【発明が解決しようとする課題】
【００１０】
そこで、本発明は、かかる事情に鑑みてなされたもので、パターンを模型から取り外す際の変形を無くすことができ、ひいては、適合精度が高い歯科用補綴物を容易に作製することを可能とする歯科鋳造用パターンの作製方法を提供することを課題とする。
【課題を解決するための手段】
【００１１】
本発明者は、鋳造工程後の後工程の調整作業（鋳造体の曲げ調整や研磨等の調整作業）をなくすあるいは極力少なくするために、パターンを模型から取り外す際の変形をどうすれば抑制することができるかについて鋭意研究した結果、パターンの材質として、ワックスに比べて十分に硬質な重合レジンを用いた上で、模型とパターンとの間に、ゴム弾性を有する第一の分離材を用いた第一の分離層及び油性の第二の分離材を用いた第二の分離層の積層分離層を形成すればよいという事実を突き止めた。
【００１２】
すなわち、本発明に係る歯科鋳造用パターンの作製方法は、
口腔内印象に基づいて作製された模型の表面の所望の領域の上に、ゴム弾性を有する第一の分離材を用いて第一の分離層を形成し、
第一の分離層の上に、油性の第二の分離材を用いて第二の分離層を積層形成し、
第二の分離層の上に、重合レジンを塗布ないし築盛してパターンのベース部を形成し、
重合レジンの硬化後、ベース部の上に、ワックスを塗布ないし築盛してパターンの表層部を形成し、
これにより、ベース部の上に表層部が積層されたパターンを作製し、
このパターンを鋳型の形成に用いる。
【００１３】
第一の分離層のみ、あるいは第二の分離層のみでは、パターンの変形を好適に抑制することができず、また、第二の分離層を形成した後、その上に、第一の分離層を積層形成した場合でも、パターンの変形を好適に抑制できなかったことから（そもそもパターンを模型から取り外すことさえできないこともある。）、本発明者は、本発明による機序について次のように考察する。
パターンは、重合レジンの硬化によって収縮して分離層に緊密に密接している。そのため、パターンを分離層から剥離する際の、分離層に対するパターンの微小な相対変位によって、パターンの脆弱部分（先端部分や薄肉部分）に力が加わり、当該部分にてパターンに変形が生じやすい。そこで、分離層としてゴム弾性を有する材質を用いれば、パターンを分離層から剥離する際、分離層がゴム弾性によって微小に弾性変形して、パターンの微小な相対変位を吸収することで、パターンの脆弱部分に力が加わらなくなり、当該部分での変形が生じにくくなる。しかし、それだけでは、上記のとおり、パターンが重合レジンの硬化によって収縮して分離層に緊密に密接しているため、パターンは剥離しにくい。これを無理やり剥離しようとすれば、パターンの脆弱部分に変形を来す、あるいは、パターンに加わる曲げ応力により、パターン全体に変形を来すことになる。そこで、第一の分離層の上、すなわち、第一の分離層とパターンとの間に、第二の分離層を形成して、第一の分離層とパターンとの間に滑り性ないし剥離性を付与する。これにより、無理な力を加えることなく、すなわち、パターンに変形を生じさせることなく、パターンを分離層から剥離することができるようになる。
【００１４】
ここで、本発明に係る歯科鋳造用パターンの作製方法の一態様として、第一の分離材は、ラテックス系の分離材であり、第二の分離材は、ワセリン系の分離材である。
【００１５】
かかる構成によれば、ラテックス系の分離材によって好適なゴム弾性が得られ、ワセリン系の分離材によって好適な滑り性ないし剥離性が得られる。なお、ラテックス系の分離材とは、ラテックスからなる分離材あるいはラテックスを主成分とする分離材をいい、ワセリン系の分離材とは、ワセリンからなる分離材あるいはワセリンを主成分とする分離材をいう。
【００１６】
また、本発明に係る歯科鋳造用パターンの作製方法の他態様として、第二の分離層の平均厚みは、第一の分離層の平均厚みよりも小さい。
【００１７】
分離層の厚みが大きいと、歯科用補綴物の適合精度に影響を与える。しかし、第一の分離層はある程度の厚みを持たせてゴム弾性による上記機能を発揮させる必要がある。そこで、第一の分離層の平均厚みは、第二の分離層の平均厚みよりも多くし、第二の分離層の平均厚みは、第一の分離層の平均厚みよりも小さくするのが好ましい。例えば、第一の分離層の平均厚みは、５μｍ以上、２０μｍ以下が好ましく、５μｍ以上、１５μｍ以下がより好ましく、８μｍ以上、１５μｍ以下がさらに好ましく、第二の分離層の平均厚みは、１μｍ以上、５μｍ以下が好ましく、１μｍ以上、３μｍ以下がより好ましい。
【００１８】
さらに、本発明に歯科鋳造用パターンの作製方法の別の態様として、パターンのベース部の平均厚みは、パターンの表層部の平均厚みよりも大きい。
【００１９】
パターンとして、重合レジンからなるベース部の上にワックスからなる表層部が積層された積層構造を採用する理由は、大きく二つある。一つは、重合レジンは、硬化すると加工が困難となり、パターンを所望の形状に仕上げるために表面を削るといったことができないが、ワックスだとこれを容易に行うことができるという点である。もう一つは、重合レジンは、硬化した後の面粗度が悪いが、ワックスだと面粗度が良く、パターンの表面、ひいては、歯科用補綴物あるいはそのパーツの表面をきれいに仕上げることができるという点である。そのため、パターンの表層部の平均厚みは、少なくとも、表面の削り代を確保することができ、かつ、パターンの表面の面粗度を良くできるだけの厚みであれば足りる。これに対し、パターンのベース部は、パターン全体の剛性を維持するためのパターンの主要部である。そこで、パターンのベース部の平均厚みは、パターンの表層部の平均厚みよりも大きくするのが好ましい。例えば、パターンのベース部の平均厚みは、パターンの表層部の平均厚みの２倍以上が好ましく、３倍以上がより好ましい。
【発明の効果】
【００２０】
以上の如く、本発明に係る歯科鋳造用パターンの作製方法によれば、パターンを模型から取り外す際の変形を無くすことができ、ひいては、適合精度が高い歯科用補綴物を容易に作製することが可能となる。
【図面の簡単な説明】
【００２１】
【図１】図１は、本発明に係る歯科鋳造用パターンの作製方法を工程の一部として含む、歯科用補綴物あるいはそのパーツの作製方法のフローチャートである。
【図２】図２は、本発明の第一の実施形態に係る歯科鋳造用パターンの作製方法を示す説明図であって、図２（ａ）は、本模型（上顎模型）の左半分を下顎側から見た斜視図、図２（ｂ）は、本模型の表面の所望の領域の上に第一の分離層を形成した状態を示す図であって、図２（ａ）に対応する斜視図、図２（ｃ）は、第一の分離層の上に第二の分離層を形成した状態を示す図であって、図２（ａ）に対応する斜視図である。
【図３】図３は、同説明図であって、図３（ａ）は、第二の分離層の上に重合レジンを塗布ないし築盛してパターンのベース部を形成した状態を示す図であって、図２（ａ）に対応する斜視図、図３（ｂ）は、パターンのベース部の上にワックスを塗布ないし築盛してパターンの表層部を形成した状態を示す図であって、図２（ａ）に対応する斜視図、図３（ｃ）は、図３（ｂ）の積層構造の断面図、図３（ｄ）は、本模型から取り外したパターンの斜視図である。
【図４】図４は、本発明の第二の実施形態に係る歯科鋳造用パターンの作製方法を示す説明図であって、図４（ａ）は、本模型（支台模型）の正面図、図４（ｂ）は、本模型にパターンを作製した状態を示す断面図、図４（ｃ）は、本模型の表面の所望の領域の上に第一の分離材を塗布した状態を示す正面図、図４（ｄ）は、第一の分離材を乾燥させて第一の分離層を形成した状態を示す図であって、図４（ｃ）に対応する正面図である。
【図５】図５は、本発明に係る歯科鋳造用パターンの作製方法の適用例１の１に係る部分義歯が装着される上顎を模った上顎模型を示す図であって、図５（ａ）は、上顎模型の側面図、図５（ｂ）は、上顎模型の左半分を下顎側から見た斜視図、図５（ｃ）は、上顎模型の左半分を下顎側から見た平面図である。
【図６】図６は、同適用例１の１に係る部分義歯を示す図であって、図６（ａ）は、閉状態にした部分義歯を下顎側から見た平面図、図６（ｂ）は、開状態にした部分義歯を下顎側から見た平面図、図６（ｃ）は、開状態にした部分義歯を上顎側から見た平面図、図６（ｄ）は、図６（ｂ）及び図６（ｃ）のＡ−Ａ線断面図である。
【図７】図７は、同適用例１の１に係る部分義歯を上顎模型に装着した状態を示す図であって、図７（ａ）は、図５（ａ）に対応する側面図、図７（ｂ）は、図５（ｂ）に対応する斜視図、図７（ｃ）は、図５（ｃ）に対応する平面図である。
【図８】図８は、同適用例１の１に係る部分義歯を歯列に装着する手順を示す説明図であって、部分義歯を開状態にして内側の係合部材及び外側の係合部材を歯列の内外に移動させる状態を示す図である。
【図９】図９は、同説明図であって、歯列の内側に内側の係合部材を係合させた状態を示す図である。
【図１０】図１０は、同説明図であって、部分義歯を閉じていく状態を示す図である。
【図１１】図１１は、同説明図であって、部分義歯を閉状態にして歯列に装着した状態を示す図である。
【図１２】図１２（ａ）は、本発明に係る歯科鋳造用パターンの作製方法の適用例１の２に係る部分義歯が装着される上顎を模った上顎模型を示す図であって、上顎模型を下顎側から見た平面図、図１２（ｂ）は、同適用例１の２に係る部分義歯を上顎模型に装着した状態を示す図であって、図１２（ａ）に対応する平面図である。
【図１３】図１３（ａ）は、本発明に係る歯科鋳造用パターンの作製方法の適用例１の３に係る部分義歯が装着される上顎を模った上顎模型を示す図であって、上顎模型の左半分を下顎側から見た斜視図、図１３（ｂ）は、同適用例１の３に係る部分義歯を上顎模型に装着した状態を示す図であって、図１３（ａ）に対応する斜視図である。
【図１４】図１４（ａ）は、同適用例１の３に係る部分義歯を上顎模型に装着した状態を示す図であって、上顎模型の左半分を下顎側から見た斜視図、図１４（ｂ）は、同適用例１の３に係る部分義歯を開状態にした、図１４（ａ）に対応する斜視図である。
【図１５】図１５は、同適用例１の３に係る部分義歯を歯列に装着する手順を示す説明図であって、部分義歯を開状態にして内側の係合部材及び外側の係合部材を歯列の内外に移動させる状態を示す図である。
【図１６】図１６は、同説明図であって、歯列の内側に内側の係合部材を係合させた状態を示す図である。
【図１７】図１７は、同説明図であって、部分義歯を閉じていく状態を示す図である。
【図１８】図１８は、同説明図であって、部分義歯を閉状態にして歯列に装着した状態を示す図である。
【図１９】図１９（ａ）は、本発明に係る歯科鋳造用パターンの作製方法の適用例２の１に係る部分義歯が装着される上顎を模った上顎模型を下顎側から見た平面図、図１９（ｂ）は、同適用例２の１に係る部分義歯を上顎模型に装着した状態を示す図であって、図１９（ａ）に対応する平面図である。
【図２０】図２０（ａ）は、上顎模型を下顎右側側から見た斜視図、図２０（ｂ）は、同適用例２の１に係る部分義歯を上顎模型に装着した状態を示す図であって、図２０（ａ）に対応する平面図である。
【図２１】図２１（ａ）は、上顎模型を下顎左側側から見た斜視図、図２１（ｂ）は、同適用例２の１に係る部分義歯を上顎模型に装着した状態を示す図であって、図２１（ａ）に対応する平面図である。
【図２２】図２２（ａ）は、同適用例２の１に係る部分義歯を前側から見た斜視図、図２２（ｂ）は、同適用例２の１に係る部分義歯を上顎側から見た平面図である。
【図２３】図２３（ａ）は、図１９（ｂ）のＡ−Ａ線断面図、図２３（ｂ）は、図１９（ｂ）のＢ−Ｂ線断面図、図２３（ｃ）は、図１９（ｂ）のＣ−Ｃ線断面図である。
【図２４】図２４（ａ）は、本発明に係る歯科鋳造用パターンの作製方法の適用例２の２に係る部分義歯が装着される上顎を模った上顎模型を下顎側から見た平面図、図２４（ｂ）は、同適用例２の２に係る部分義歯を上顎模型に装着した状態を示す図であって、図２４（ａ）に対応する平面図である。
【図２５】図２５（ａ）は、図２４（ｂ）のＡ−Ａ線断面図、図２５（ｂ）は、図２４（ｂ）のＢ−Ｂ線断面図、図２５（ｃ）は、図２４（ｂ）のＣ−Ｃ線断面図である。
【図２６】図２６（ａ）は、本発明に係る歯科鋳造用パターンの作製方法の適用例３の１に係る部分義歯が装着される上顎を模った上顎模型を下顎側から見た平面図、図２６（ｂ）は、同適用例３の１に係る部分義歯を上顎模型に装着した状態を示す図であって、図２６（ａ）に対応する平面図である。
【図２７】図２７（ａ）は、上顎模型を正面から見た正面図、図２７（ｂ）は、同適用例３の１に係る部分義歯を上顎模型に装着した状態を示す図であって、図２７（ａ）に対応する正面図である。
【図２８】図２８（ａ）は、上顎模型を下顎右側から見た斜視図、図２８（ｂ）は、同適用例３の１に係る部分義歯を上顎模型に装着した状態を示す図であって、図２８（ａ）に対応する斜視図である。
【図２９】図２９（ａ）は、装着状態（第一の状態）にした同適用例３の１に係る部分義歯を下顎側から見た平面図、図２９（ｂ）は、屈曲状態（第二の状態）にした同適用例３の１に係る部分義歯を下顎側から見た平面図である。
【図３０】図３０（ａ）は、図２６（ｂ）のＡ−Ａ線に対応する箇所における同適用例３の１に係る部分義歯の断面図、図３０（ｂ）は、図２６（ｂ）のＢ−Ｂ線に対応する箇所における同適用例３の１に係る部分義歯の断面図、図３０（ｃ）は、屈曲状態（第二の状態）にした同適用例３の１に係る部分義歯の、図３０（ｂ）に対応する断面図である。
【図３１】図３１（ａ）は、図２６（ｂ）のＢ−Ｂ線断面図、図３１（ｂ）は、図２６（ｂ）のＣ−Ｃ線断面図、図３１（ｃ）は、図２６（ｂ）のＤ−Ｄ線断面図である。
【図３２】図３２（ａ）は、屈曲状態（第二の状態）にした同適用例３の１に係る部分義歯の第一の係合部材を歯列の内側に係合させた状態を示す平面図、図３２（ｂ）は、第二の係合部材が回転して歯列の内側に係合して、同適用例３の１に係る部分義歯を歯列に装着した状態を示す平面図である。
【発明を実施するための形態】
【００２２】
以下、本発明に係る歯科鋳造用パターンの作製方法を工程の一部として含む、歯科用補綴物あるいはそのパーツの作製方法の概要について、図１を参酌しつつ説明する。
【００２３】
まず、Ｓ１において、歯科医師は、患者の口腔内の歯列の型を例えばシリコンを用いて型取りして、印象を採得する。次に、Ｓ２において、歯科医師は、印象から石膏を用いて本模型を作製する。
【００２４】
歯科技工士は、Ｓ２で作製された本模型を歯科医師から預かると、Ｓ３において、本模型の表面の所望の領域の上に、ゴム弾性を有する第一の分離材を用いて第一の分離層を形成する。本実施形態においては、第一の分離材として、ラテックス系の分離材が用いられ、丸筆、平筆、ブラシ等の塗布具を用いて本模型の表面の所望の領域の上に均一に塗布され、分離材が乾燥すると、第一の分離層が得られる。分離材は乾燥すると厚みが減るので、乾燥後の第一の分離層の平均厚みが５μｍ以上、２０μｍ以下、より好ましくは、５μｍ以上、１５μｍ以下、さらに好ましくは、８μｍ以上、１５μｍ以下となるように、第一の分離材がそれよりも厚く塗布される。ただし、第一の分離層の平均厚みは、これらの範囲に限られず、適宜選択し得るものである。
【００２５】
なお、第一の分離材の塗布に際しては、事前に塗布具を水で濡らしておくのが好ましい。塗布具に空気が含まれていると、この空気とラテックスが反応してラテックスが固まり、だまになって円滑に塗布できなくなり、ひいては、第一の分離層の厚みが非常に不均一なものとなってしまうからである。
【００２６】
また、塗布は、一度塗りが好ましい。二度塗りする場合でも、一度目に塗布した第一の分離材が乾燥していないと、二度目の塗布のときに一度目に塗布した第一の分離材がだまになるので、一度目に塗布した第一の分離材の乾燥を待って、二度目の塗布を行うようにする。
【００２７】
第一の分離材が乾燥するのを待った後、歯科技工士は、Ｓ４において、第一の分離層の上に、油性の第二の分離材を用いて第二の分離層を形成する。本実施形態においては、第二の分離材として、ワセリンが用いられ、筆、ブラシ等の塗布具を用いて第一の分離層の上に均一に塗布され、第二の分離層が得られる。第二の分離層の平均厚みが１μｍ以上、５μｍ以下、より好ましくは、１μｍ以上、３μｍ以下となるように、第二の分離材が塗布される。ただし、第二の分離層の平均厚みは、これらの範囲に限られず、適宜選択し得るものである。
【００２８】
次に、歯科技工士は、Ｓ５において、第二の分離層の上に、重合レジンを塗布又は築盛してパターンのベース部を形成する。本実施形態においては、重合レジンとして、即時重合レジンが用いられ、丸筆、平筆、ブラシ等の塗布具、あるいは築盛用のツールを用いて第二の分離層の上に塗布又は築盛され、パターンのベース部が得られる。
【００２９】
重合レジンが硬化するのを待った後、歯科技工士は、Ｓ６において、パターンのベース部の上に、ワックス（熱可塑性油脂）を塗布又は築盛してパターンの表層部を形成する。本実施形態においては、歯科技工で用いられる一般的な各種のワックスが用いられ、丸筆、平筆、ブラシ等の塗布具、あるいは築盛用のツールを用いてパターンのベース部の上に塗布又は築盛され、パターンの表層部が得られる。そして、歯科技工士は、必要に応じて、パターンの表層部の表面を削り、形を整えて、パターンを最終形状に仕上げる。
【００３０】
なお、重合レジンだけでなく、ワックスを用いる理由は、大きく二つある。一つは、重合レジンは、硬化すると加工が困難となり、パターンを所望の形状に仕上げるために表面を削るといったことができないが、ワックスだとこれを容易に行うことができるという点である。もう一つは、重合レジンは、硬化した後の面粗度が悪いが、ワックスだと面粗度が良く、パターンの表面、ひいては、歯科用補綴物あるいはそのパーツの表面をきれいに仕上げることができるという点である。
【００３１】
次に、歯科技工士は、Ｓ７において、パターンを本模型から取り外して、パターンを採取する。上述のとおり、パターンと本模型との間には、ゴム弾性を有する第一の分離層及び油性の第二の分離層の積層分離層が形成されているため、パターンに変形を生じさせることなく、パターンを分離層から剥離することができる。そして、採取したパターンに第一の分離層や第二の分離層が部分的に残っていることがあるので、これらを除去しておく。なお、上述したパターンの表層部の表面を削ってパターンを最終形状に仕上げる工程は、パターンを本模型から取り外した後に行うようにしてもよい。
【００３２】
Ｓ３ないしＳ７は、本発明に係る歯科鋳造用パターンの作製方法に相当する工程である。パターンが採取されると、歯科技工士は、Ｓ８において、パターンを鋳型材の中に埋没させ、鋳型材が硬化した後、Ｓ９において、鋳型材を加熱してパターンを溶解、除去する。これにより、内部にパターンの形状に相当する空間を有する鋳型が形成される。そして、歯科技工士は、Ｓ１０において、鋳型の空間に溶融金属を流し込み、溶融金属が冷却して固化してから、Ｓ１１において、サンドブラスト等により鋳型を割って鋳造体を採取する。これらの工程は、通常のロストワックス法と変わるところはない。
【００３３】
次に、歯科技工士は、Ｓ１２において、必要であれば、鋳造体に対し、曲げ調整や研磨等の調整作業を実施する。鋳造体が既に歯科用補綴物あるいはそのパーツとしての適合精度を有しているために、調整作業が不要であれば（Ｓ１３がＹＥＳ）、あるいは、調整作業によって、鋳造体が歯科用補綴物あるいはそのパーツとしての適合精度を有するようになったならば（Ｓ１３がＹＥＳ）、工程は完了する。
【００３４】
このように、本実施形態に係る歯科用補綴物あるいはそのパーツの作製方法によれば、上述のとおり、パーツには変形が生じていないため、鋳造工程で既に鋳造体が歯科用補綴物あるいはそのパーツとしての高い適合精度を有している。そのため、鋳造工程後の後工程の調整作業をなくすあるいは最小限にとどめることができる。これにより、歯科用補綴物あるいはそのパーツの作製効率を大幅に改善し、高度な熟練と経験を要さず、安定した品質で迅速に作製することが可能となる。
【００３５】
＜第一の実施形態＞
ここで、本発明の第一の実施形態に係る歯科鋳造用パターンの作製方法について、図２及び図３を参酌しつつ説明する。本実施形態は、後述する適用例１の１に係る部分義歯１の内側の係合部材２０を鋳造するためのパターンの作製方法に関するものである。
【００３６】
歯科技工士は、本模型５０（図２（ａ）参照）を歯科医師から預かる。本模型５０は、上顎の左側５番及び左側６番の臼歯が欠損しており、歯科技工士は、この欠損部５１を補綴するために、左側１番の切歯５２を除く、左側２番の切歯５３、左側３番の犬歯５４、左側４番の臼歯５５及び左側７番の臼歯５８の歯列に装着される部分義歯を作製するものである。
【００３７】
まず、歯科技工士は、ラテックス系の分離材等のゴム弾性を有する第一の分離材を、本模型５０の表面の所望の領域の上に均一に塗布し、分離材を乾燥させて、第一の分離層６０を得る（図２（ｂ）参照）。本実施形態においては、本模型５０のうち、左側２番の切歯５３及び左側３番の犬歯５４の内側面の歯根側半分、左側４番の臼歯５５の内側面及び遠心側の表面、欠損部５１の歯槽堤の表面、左側７番の臼歯５８の内側面、近心側の表面及び遠心側の表面の上に第一の分離材が塗布される。
【００３８】
次に、歯科技工士は、ワセリン等の油性の第二の分離材を、第一の分離層６０の上に均一に塗布して、第二の分離層６１を得る（図２（ｃ）参照）。第二の分離材は、第一の分離層６１をはみ出して本模型５０の表面の上に塗布するところがあっても構わないし、第一の分離層６０の全面に厳密に塗布されなくても構わない。
【００３９】
次に、歯科技工士は、即時重合レジン等の重合レジンを、第二の分離層６１の上に塗布又は築盛して、パターンのベース部６２を形成する（図３（ａ）参照）。そして、重合レジンが硬化するのを待った後、歯科技工士は、ワックスをベース部６２の上に塗布又は築盛して、作製しようとする部分義歯１の内側の係合部材２０の形状に相当する形状となるようにパターンの表層部６３を形成する（図３（ｂ）参照）。そして、歯科技工士は、必要に応じて、パターンの表層部６３の表面を削り、形を整えて、パターン６４を最終形状に仕上げる。
【００４０】
次に、歯科技工士は、パターン６４を本模型５０から取り外して、パターン６４を採取する（図３（ｄ）参照）。ここで、パターン６４と本模型５０との間には、ゴム弾性を有する第一の分離層６０及び油性の第二の分離層６１の積層分離層が形成されているため（図３（ｃ）参照）、三次元的に複雑な形状のパターン６４であっても、パターン６４に変形を生じさせることなく、パターン６４を分離層６０，６１から剥離することができる。
【００４１】
＜第二の実施形態＞
次に、本発明の第二の実施形態に係る歯科鋳造用パターンの作製方法について、図４を参酌しつつ説明する。本実施形態は、残存歯の表面を削り、細くなった部分に被せるクラウン（歯冠）を鋳造するためのパターンの作製方法に関するものである。
【００４２】
歯科技工士は、本模型（支台模型）５０（図４（ａ）参照）を歯科医師から預かる。そして、歯科技工士は、ラテックス系の分離材等のゴム弾性を有する第一の分離材を、本模型５０の表面の所望の領域の上に均一に塗布し（図４（ｃ）参照）、分離材を乾燥させて、第一の分離層６０を得る（図４（ｄ）参照）。本実施形態においては、支台模型５０のうち、マージン部５０ｂ（クラウンと残存歯との境界部、すなわち、クラウンの開口端縁部）よりも先端側の削られた表面の上に第一の分離材が塗布される。
【００４３】
次に、歯科技工士は、ワセリン等の油性の第二の分離材を、第一の分離層６０の上に均一に塗布して、第二の分離層６１を得る。その後、歯科技工士は、即時重合レジン等の重合レジンを、第二の分離層６１の上に塗布又は築盛して、パターンのベース部６２を作製し、そして、重合レジンが硬化するのを待った後、ワックスをベース部６２の上に塗布又は築盛して、作製しようとするクラウンの形状に相当する形状となるようにパターンの表層部６３を形成する（図４（ｂ）参照）。そして、歯科技工士は、必要に応じて、パターンの表層部６３の表面を削り、形を整えて、パターン６４を最終形状に仕上げる。
【００４４】
次に、歯科技工士は、パターン６４を本模型５０から取り外して、パターン６４を採取する。ここで、パターン６４と本模型５０との間には、ゴム弾性を有する第一の分離層６０及び油性の第二の分離層６１の積層分離層が形成されているため、全体的に小さく、薄肉（特にマージン部）のパターン６４であっても、パターン６４に変形を生じさせることなく、パターン６４を分離層６０，６１から剥離することができる。
【００４５】
加えて述べると、パターン６４は、本模型５０のうち、パターン６４の抜き方向に対して勾配がほぼない直立部５０ａにて抜きにくく（取り外しにくく）なっているが、この部分での第一の分離層６０にある程度の厚みがあるため（図４（ｄ）参照）、パターン６４は抜きやすく（取り外しやすく）なる。他方、本模型５０のうち、マージン部５０ｂでは、第一の分離材が乾燥した後の第一の分離層６０の厚みは小さいため（図４（ｄ）参照）、パターン６４のマージン部における適合精度は極めて高いものとなる。
【００４６】
なお、本発明に係る歯科鋳造用パターンの作製方法は、上記実施形態に限定されるものではなく、本発明の要旨を逸脱しない範囲で種々の変更が可能である。
【００４７】
例えば、上記実施形態においては、第一の分離材として、ラテックス系の分離材が用いられる。しかし、第一の分離材は、これに限定されるものではない。例えば、シリコーンゴム系の分離材等、ゴム弾性を有するものであれば、第一の分離材として採用可能である。
【００４８】
また、上記実施形態においては、第二の分離材として、ワセリン系の分離材が用いられる。しかし、第二の分離材は、これに限定されるものではない。例えば、シリコーンオイル系の分離材、ココアバター等、油性のものであれば、第二の分離材として採用可能である。
【００４９】
また、上記実施形態においては、重合レジンとして、即時重合レジンが用いられる。しかし、重合レジンは、これに限定されるものではない。例えば、常温重合レジン、加熱重合レジン、光重合レジン等も採用可能である。
【００５０】
また、上記実施形態においては、製造コストを削減する目的で、本模型を用いてパターンが作製される。しかし、本発明はこれに限定されるものではない。例えば、従来と同様、複模型を作製し、この複模型を用いてパターンを作製することは、本発明の範囲から排除されるものではない。
【００５１】
また、上記実施形態においては、第一の分離材及び第二の分離材は、塗布により模型に供給される。しかし、本発明はこれに限定されるものではない。例えば、噴霧等の公知の手段を採用可能である。
【００５２】
また、第一の分離層６０の形成範囲や第二の分離層６１の形成範囲は、重合レジンの築盛範囲と一致していることは必須ではなく、例えば、重合レジンの築盛範囲よりも広くてもよい。
【００５３】
また、上記実施形態においては、鋳造体の材質として、金属が用いられる。しかし、鋳造体の材質としては、金属以外に、セラミックや樹脂等、歯科用補綴物あるいはそのパーツに用いられる全ての材質を採用し得る。
【００５４】
また、上記実施形態においては、ベース部の上に表層部が積層されたパターンは、模型上で作製される。しかし、本発明はこれに限定されるものではない。例えば、模型の上に、パターンのベース部を形成し、これを模型から取り外してから、ベース部の上にワックスを塗布ないし築盛してパターンの表層部を形成して、パターンを完成させるようにしてもよい。
【実施例】
【００５５】
次に、本発明に係る歯科鋳造用パターンの作製方法の実施例を比較例と共に説明する。
【００５６】
（実施例１）
後述する適用例１の１に係る部分義歯１の内側の係合部材２０を作製対象とした。第一の分離材として、ラテックス系の分離材（商品名「陶画のり（液体マスキング剤）」（グット電気株式会社製））、第二の分離材として、ワセリン系の分離材（商品名「軟膏基剤  白色ワセリン」（丸石製薬株式会社製））を用い、これらの分離材による積層分離層を形成した。そして、重合レジンとして、即時重合レジン（商品名「ジーシー  パターンレジン」（株式会社ジーシー製））を用い、パターンを同条件で３回作製した。なお、実験の便宜上、ワックスを用いてパターンの表層部を形成する工程は省略した。以下の比較例においても同様である。
【００５７】
（比較例１）
同じく係合部材２０を作製対象とした。分離材として、実施例１と同じラテックス系の分離材（商品名「陶画のり（液体マスキング剤）」（グット電気株式会社製））のみを用い、一種類の分離材による単層分離層を形成した。分離材の使用量及び塗布範囲は、実施例１のラテックス系の分離材の使用量及び塗布範囲と同じにした。これにより、比較例１の分離層の平均厚みは、実施例１の第一の分離層の平均厚みと同じであるとみなせる。そして、重合レジンとして、実施例１と同じ即時重合レジン（商品名「ジーシー  パターンレジン」（株式会社ジーシー製））を用い、パターンを同条件で３回作製した。
【００５８】
（比較例２）
同じく係合部材２０を作製対象とした。分離材として、実施例１と同じワセリン系の分離材（商品名「軟膏基剤  白色ワセリン」（丸石製薬株式会社製））のみを用い、一種類の分離材による単層分離層を形成した。分離材の使用量及び塗布範囲は、実施例１のワセリン系の分離材の使用量及び塗布範囲と同じにした。これにより、比較例２の分離層の平均厚みは、実施例１の第二の分離層の平均厚みと同じであるとみなせる。そして、重合レジンとして、実施例１と同じ即時重合レジン（商品名「ジーシー  パターンレジン」（株式会社ジーシー製））を用い、パターンを同条件で３回作製した。
【００５９】
（比較例３）
同じく係合部材２０を作製対象とした。分離材として、アルギン酸ナトリウム系の分離材（商品名「アクロセップ」（株式会社ジーシー製））のみを用い、一種類の分離材による単層分離層を形成した。分離材の使用量及び塗布範囲は、実施例１のラテックス系の分離材の使用量及び塗布範囲と同じにした。これにより、比較例３の分離層の平均厚みは、実施例１の第一の分離層の平均厚みと同じであるとみなせる。そして、重合レジンとして、実施例１と同じ即時重合レジン（商品名「ジーシー  パターンレジン」（株式会社ジーシー製））を用い、パターンを同条件で３回作製した。
【００６０】
（比較例４）
始めに第二の分離層を形成した上に第一の分離層を形成することで、積層分離層の形成順序が逆になる点を除き、実施例１と条件は同じである。
【００６１】
【表１】
2019076686.tif 000003
【００６２】
表１からわかるとおり、比較例１ないし４では、そもそもパターンを模型から取り外すことができないものがあり、また、パターンを模型から取り外すことができたとしても、パターンに破断が生じたり、変形が生じたりするものであった。しかし、本発明に係る歯科鋳造用パターンの作製方法によれば、変形を生じることなくパターンを模型から取り外すことができ、ひいては、適合精度が高い歯科用補綴物を容易に作製することが可能となることがわかる。
【００６３】
（実施例２）
上記第二の実施形態に係るクラウンを作製対象とした。第一の分離材として、ラテックス系の分離材（商品名「陶画のり（液体マスキング剤）」（グット電気株式会社製））、第二の分離材として、ワセリン系の分離材（商品名「軟膏基剤  白色ワセリン」（丸石製薬株式会社製））を用い、これらの分離材による積層分離層を形成した。そして、重合レジンとして、即時重合レジン（商品名「ジーシー  パターンレジン」（株式会社ジーシー製））を用い、パターンを同条件で３回作製した。なお、実験の便宜上、ワックスを用いてパターンの表層部を形成する工程は省略した。以下の比較例においても同様である。
【００６４】
（比較例５）
同じ形状のクラウンを作製対象とした。分離材として、実施例２と同じラテックス系の分離材（商品名「陶画のり（液体マスキング剤）」（グット電気株式会社製））のみを用い、一種類の分離材による単層分離層を形成した。分離材の使用量及び塗布範囲は、実施例２のラテックス系の分離材の使用量及び塗布範囲と同じにした。これにより、比較例５の分離層の平均厚みは、実施例２の第一の分離層の平均厚みと同じであるとみなせる。そして、重合レジンとして、実施例２と同じ即時重合レジン（商品名「ジーシー  パターンレジン」（株式会社ジーシー製））を用い、パターンを同条件で３回作製した。
【００６５】
（比較例６）
同じ形状のクラウンを作製対象とした。分離材として、実施例２と同じワセリン系の分離材（商品名「軟膏基剤  白色ワセリン」（丸石製薬株式会社製））のみを用い、一種類の分離材による単層分離層を形成した。分離材の使用量及び塗布範囲は、実施例２のワセリン系の分離材の使用量及び塗布範囲と同じにした。これにより、比較例６の分離層の平均厚みは、実施例２の第二の分離層の平均厚みと同じであるとみなせる。そして、重合レジンとして、実施例２と同じ即時重合レジン（商品名「ジーシー  パターンレジン」（株式会社ジーシー製））を用い、パターンを同条件で３回作製した。
【００６６】
（比較例７）
始めに第二の分離層を形成した上に第一の分離層を形成することで、積層分離層の形成順序が逆になる点を除き、実施例２と条件は同じである。
【００６７】
【表２】
2019076686.tif 000004
【００６８】
表２からわかるとおり、比較例５ないし７では、そもそもパターンを模型から取り外すことができないものが多かった。これは、重合レジンの硬化に伴う収縮によって、パターンが模型に強固に固着してしまうからだと考えられる。しかし、本発明に係る歯科鋳造用パターンの作製方法によれば、変形を生じることなくパターンを模型から取り外すことができ、ひいては、適合精度が高い歯科用補綴物を容易に作製することが可能となることがわかる。
【００６９】
＜適用例＞
次に、本発明に係る歯科鋳造用パターンの作製方法を用いることにより、作製効率を大幅に改善し、高度な熟練と経験を要さず、安定した品質で迅速に作製することが可能となる歯科補綴物の適用例について説明する。
【００７０】
＜適用例１＞
適用例１に係る部分義歯は、
歯列の欠損部に配置される人工歯と、
人工歯を支持し、開閉可能に構成され、開状態において、歯列を挿入可能に離間するとともに、閉状態において、歯列に内側及び外側から係合する一対の係合部材と、
一対の係合部材の閉状態を解除可能に固定するためのロック構造とを備え、
一対の係合部材の少なくともいずれか一方の係合部材は、歯列における複数の歯のそれぞれの、歯根に向かうほど広がる方向に傾斜する傾斜部に係合する第一の係合部を備えるとともに、歯列における少なくとも一つの歯の、傾斜部とは反対側に傾斜するアンダーカット部に係合する第二の係合部を備える。
【００７１】
かかる構成によれば、部分義歯を歯列に装着するに際しては、まず、一対の係合部材を開状態にする。これにより、一対の係合部材は歯列を挿入可能に離間するので、この状態で、一対の係合部材を歯列の内外に移動させる。そして、一対の係合部材を閉状態にする。これにより、一対の係合部材が歯列の内側及び外側に係合し、かつ、ロック構造が働いて、部分義歯は歯列に装着される。
【００７２】
そして、部分義歯が歯列に装着されると、ｉ）第一の係合部及び第二の係合部が一対の係合部材のいずれか一方の係合部材に設けられている部分義歯の場合は、第一の係合部及び第二の係合部が歯列の内側又は外側のいずれか一方側に係合するとともに、一対の係合部材のいずれか他方の係合部材が歯列の内側又は外側のいずれか他方側に係合することで、一対の係合部材は、歯を内側及び外側から少なくとも３点で包むように係合し、また、ｉｉ）第一の係合部及び第二の係合部が一対の係合部材のいずれの係合部材にも設けられている部分義歯の場合は、第一の係合部及び第二の係合部が歯列の内側及び外側に係合することで、一対の係合部材は、歯を内側及び外側から少なくとも４点で包むように係合する。したがって、部分義歯は、歯列の内外方向（水平方向）、咬合方向（上下方向）及び歯列に対する回転方向のいずれの方向においても、動くことなく、歯列に強固に装着される。
【００７３】
加えて、部分義歯を装着している間、第一の係合部は、歯列における複数の歯のそれぞれの、歯根に向かうほど広がる方向に傾斜する傾斜部に係合している。そのため、人工歯にかかる咬合力は、欠損部における歯槽堤には実質的には作用せず、複数の歯に分散される。
【００７４】
さらに、部分義歯を装着している間、第二の係合部は、歯列における少なくとも一つの歯の、傾斜部とは反対側に傾斜する傾斜部であるアンダーカット部に係合している。そのため、部分義歯が歯列から抜けることはない。
【００７５】
他方、部分義歯を歯列から取り外すときは、ロック構造を解除して一対の係合部材を開状態にすることにより、一対の係合部材が歯列から離間し、部分義歯を取り外すことができる。
【００７６】
なお、「内側」とは、歯を基準とした場合に舌がある側（舌側）をいい、「外側」とは、歯を基準とした場合に、前歯（１歯ないし２歯の切歯及び３歯の犬歯）であれば、唇がある側（唇側）をいい、奥歯（４番ないし７番の臼歯）であれば、頬がある側（頬側）をいう。
【００７７】
ここで、適用例１に係る部分義歯の一態様として、一対の係合部材の少なくともいずれか一方の係合部材は、複数の歯のそれぞれ表面に沿う形状の凹部を備え、凹部の咬合側の端部に第一の係合部が形成されるとともに、凹部の歯根側の端部に第二の係合部が形成される構成を採用することができる。
【００７８】
かかる構成によれば、最大豊隆部を歯冠の上下方向中間部に有することで太鼓状となる歯（４番ないし７番の臼歯）の表面を包むように凹部が歯の表面に面当接し、部分義歯は、より強固に歯列に装着される。
【００７９】
なお、「咬合側」とは、咬合方向（上下方向）において、前歯であれば、切端に近い側をいい、奥歯であれば、咬合面（上顎の歯列と下顎の歯列とが噛み合う面、より詳しくは、歯の頂部において隆起している咬頭の間に囲まれた面）に近い側をいい、「歯根側」とは、切端や咬合面から遠ざかる側をいう。
【００８０】
また、適用例１に係る部分義歯の他態様として、一対の係合部材のいずれか他方の係合部材は、歯列における少なくとも一つの歯のアンダーカット部に係合する第二の係合部を備える構成を採用することができる。
【００８１】
かかる構成によれば、部分義歯が歯列に装着されると、一対の係合部材のいずれか一方の係合部材の第一の係合部及び第二の係合部が歯列の内側又は外側のいずれか一方側に係合するとともに、一対の係合部材のいずれか他方の係合部材の第二の係合部が歯列の内側又は外側のいずれか他方側に係合する。これにより、一対の係合部材は、歯を内側及び外側から少なくとも３点で包むように係合する。したがって、部分義歯は、歯列の内外方向（水平方向）、咬合方向（上下方向）及び歯列に対する回転方向のいずれの方向においても、動くことなく、歯列に強固に装着される。しかも、部分義歯を装着している間、歯の内側及び外側の両アンダーカット部に第二の係止部が係合しているため、部分義歯が歯列から抜けることはない。
【００８２】
また、適用例１に係る部分義歯の別の態様として、人工歯は、分割面にて第一の分割体と第二の分割体とに分割され、第一の分割体は、一対の係合部材のいずれか一方の係合部材に設けられるとともに、第二の分割体は、一対の係合部材のいずれか他方の係合部材に設けられる構成を採用することができる。
【００８３】
かかる構成によれば、一対の係合部材の開状態において、第一の分割体及び第二の分割体は、分割面にて分離する。他方、一対の係合部材の閉状態において、部分義歯が歯列に装着された状態になると、第一の分割体及び第二の分割体は、合致して人工歯としての機能を発現する。
【００８４】
この場合、第一の分割体は、咬合側の横面、咬合側の横面とは反対側の、欠損部における歯槽堤に沿う形状の歯根側の横面、人工歯の内側面、及び人工歯の内側面とは反対側の立面を有するベース部を備え、第二の分割体は、人工歯の咬合面、及び人工歯の咬合面とは反対側の、第一の分割体の咬合側の横面とで第一の分割面をなす歯根側の横面を有する咬合部と、人工歯の外側面、及び人工歯の外側面とは反対側の、第一の分割体の立面とで第二の分割面をなす立面を有する外側部とを備える構成を採用することができる。
【００８５】
かかる構成によれば、一対の係合部材の開状態において、第一の分割体及び第二の分割体は、第一の分割面（第一の分割体の咬合側の横面及び第二の分割体の歯根側の横面）及び第二の分割面（第一の分割体の立面及び第二の分割体の立面）にて分離する。他方、一対の係合部材の閉状態において、部分義歯が歯列に装着された状態になると、第一の分割体及び第二の分割体は、第一の分割面及び第二の分割面が合わさるようにして合致する。これにより、第一の分割体の内側面、第二の分割体の外側面及び咬合面を主面とした人工歯が構成される。
【００８６】
また、ロック構造は、第一の分割体と第二の分割体との分割面に設けられる構成を採用することができる。
【００８７】
かかる構成によれば、一対の係合部材を開状態から閉状態にして、一対の係合部材が歯列の内側及び外側に係合する際、ロック構造により一対の係合部材が閉状態に固定されて、部分義歯は歯列に装着される。他方、部分義歯を歯列から取り外すときは、ロック構造を解除して一対の係合部材を開状態にし、一対の係合部材を歯列から離間させて、部分義歯を取り外す。
【００８８】
以上の如く、適用例１に係る部分義歯によれば、残存歯をそのまま利用することで、クラウンブリッジやインプラントのように残存歯や歯槽骨の切削を行う必要がなく、部分義歯を取り外し可能に装着することができる。また、適用例１に係る部分義歯によれば、人工歯にかかる咬合力を、義歯床を介して歯槽堤に負担させるのではなく、複数の残存歯に分散させて負担させるので、部分床義歯による諸問題を解消することができる。
【００８９】
＜適用例１の１＞
以下、適用例１に係る部分義歯の第一の具体例（適用例１の１）について、図５ないし図１１を参酌して説明する。なお、適用例１の１に係る部分義歯は上顎の歯列に装着されるものであるが、ここでは、便宜上、上顎を模った上顎模型を用い、これを実際の上顎とみなして説明する。
【００９０】
図５ないし図７に示す如く、適用例１の１に係る部分義歯１は、左側５番及び左側６番の臼歯の欠損部５１を補綴するためのもので、左側１番の切歯５２を除く、左側２番の切歯５３、左側３番の犬歯５４、左側４番の臼歯５５及び左側７番の臼歯５８の歯列に装着されるものである。
【００９１】
部分義歯１は、欠損部５１に配置される人工歯１０と、人工歯１０を支持し、開閉可能に構成され、開状態において、歯列を挿入可能に離間するとともに、閉状態において、歯列に内側及び外側から係合する一対の係合部材２０，３０とを備える。
【００９２】
人工歯１０は、分割面１１にて第一の分割体１２と第二の分割体１３とに分割され、第一の分割体１２及び第二の分割体１３は、合致して人工歯１０となる。適用例１の１においては、左側５番及び左側６番の隣り合う二本の臼歯が欠損しており、人工歯１０は、この二本の歯を一体的に設けたものである。そのため、第一の分割体１２及び第二の分割体１３のそれぞれは、左側５番及び左側６番の隣り合う二本の臼歯に対応して設けられる。
【００９３】
第一の分割体１２は、咬合側の横面１２ａと、咬合側の横面１２ａとは反対側の、欠損部５１における歯槽堤に沿う形状の歯根側の横面１２ｂと、人工歯１０の内側面１２ｃと、人工歯１０の内側面１２ｃとは反対側の立面１２ｄとを有するベース部１２Ａを備える。
【００９４】
第二の分割体１３は、人工歯１０の咬合面１３ａと、人工歯１０の咬合面１３ａとは反対側の、第一の分割体１２の咬合側の横面１２ａとで第一の分割面１１ａをなす歯根側の横面１３ｂとを有する咬合部１３Ａと、人工歯１０の外側面１３ｃと、人工歯１０の外側面１３ｃとは反対側の、第一の分割体１２の立面１２ｄとで第二の分割面１１ｂをなす立面１３ｄとを有する外側部１３Ｂとを備え、断面視でＬ字状を呈する。
【００９５】
第二の分割体１３は、咬合部１３Ａ及び外側部１３Ｂの表層を除く部位であるベース部１３Ｃと、ベース部１３Ｃの上に積層され、歯と同色の白色を有して外観上歯に見せるための周知のコーティング部１３Ｄとの積層構造である。したがって、人工歯１０の咬合面１３ａ及び人工歯１０の外側面１３ｃは、コーティング部１３Ｄの外面であり、歯根側の横面１３ｂ及び立面１３ｄは、ベース部１３Ｃの内面である。
【００９６】
かかる構成からなる第一の分割体１２及び第二の分割体１３は、第一の分割面１１ａ及び第二の分割面１１ｂが合わさるようにして合致し、これにより、第一の分割体１２の内側面１２ｃ、第二の分割体１３の外側面１３ｃ及び咬合面１３ａを主面とした人工歯１０が構成される。
【００９７】
第一の分割体１２と第二の分割体１３との分割面１１、より詳しくは、第一の分割体１２と第二の分割体１３との接離方向と交差する第二の分割面１１ｂには、第一の分割体１２及び第二の分割体１３の合致状態を解除可能に固定するためのロック構造１４が設けられる。
【００９８】
ロック構造１４は、第一の分割体１２の立面１２ｄ又は第二の分割体１３の立面１３ｄのいずれか一方の立面に形成される係合凹部と、いずれか他方の立面に形成される係合突起とで構成される。第一の分割体１２と第二の分割体１３とが合致する際、係合突起が係合凹部に弾性変形的に係入し、ロックがかかるようになっている。また、第一の分割体１２と第二の分割体１３とが分離する際、係合突起による係合凹部への係止が外れ、ロックが解除されるようになっている。
【００９９】
第一の分割体１２は、内側の係合部材２０に一体的に設けられ、第二の分割体１３は、外側の係合部材３０に一体的に設けられる。見方を変えると、内側の係合部材２０は、第一の分割体１２から近心及び遠心に伸びるアーム部２１，２２を備え、外側の係合部材３０は、第二の分割体１３から近心及び遠心に伸びるアーム部３１，３２を備える。なお、「近心」とは、正中（右側１番の切歯と左側１番の切歯の間）に近づく方向をいい、「遠心」とは、正中から遠ざかる方向をいう。
【０１００】
適用例１の１においては、内側の係合部材２０の近心側のアーム部２１は、左側２番の切歯５３、左側３番の犬歯５４、左側４番の臼歯５５の隣り合う三本の歯の内側に係合可能な歯列方向長さを有し、内側の係合部材２０の遠心側のアーム部２２は、左側７番の臼歯５８の内側及び遠心側の一部に係合可能な屈曲形状を有する。
【０１０１】
また、適用例１の１においては、外側の係合部材３０の近心側アーム部３１は、左側２番の切歯５３、左側３番の犬歯５４、左側４番の臼歯５５の隣り合う三本の歯の外側に係合可能な歯列方向長さを有し、外側の係合部材３０の遠心側のアーム部３２は、左側７番の臼歯５８の外側及び遠心側の他部に係合可能な屈曲形状を有する。
【０１０２】
一対の係合部材２０，３０は、遠心側の端部、すなわち、それぞれの遠心側のアーム部２２，３２の先端部に設けられたヒンジ部４０にて回転可能に連結される。これにより、一対の係合部材２０，３０は、歯列を挿入可能に離間する開状態と、歯列に内側及び外側から係合する閉状態とに開閉可能に構成される。なお、一対の係合部材２０，３０が開きすぎると、部分義歯を歯列に装着させる際の取扱い性が悪くなる。そのため、ヒンジ部４０は、一対の係合部材２０，３０が所定角度以上に開かないように形成されている（図６（ｂ）及び図６（ｃ）は最大開き角度を示している。）。
【０１０３】
内側の係合部材２０は、対応する各歯の、歯根に向かうほど広がる方向に傾斜する傾斜部に係合する第一の係合部２３，…を備えるとともに、この傾斜部とは反対側に傾斜するアンダーカット部がある歯の、当該アンダーカット部に係合する第二の係合部２４，…を備える。適用例１の１においては、内側の係合部材２０は、左側２番の切歯５３、左側３番の犬歯５４、左側４番の臼歯５５及び左側７番の臼歯５８のそれぞれの歯に対し、第一の係合部２３を備え、アンダーカット部を有する左側３番の犬歯５４、左側４番の臼歯５５及び左側７番の臼歯５８のそれぞれの歯に対し、第二の係合部２４を備える。
【０１０４】
外側の係合部材３０は、アンダーカット部に係合する第二の係合部３４，…を備える。適用例１の１においては、外側の係合部材３０は、アンダーカット部を有する左側２番の切歯５３、左側３番の犬歯５４、左側４番の臼歯５５及び左側７番の臼歯５８のそれぞれの歯に対し、第二の係合部３４を備える。
【０１０５】
図１１に示す如く、内側の係合部材２０は、各歯の内側面に沿う形状の凹部２５を備える。第一の係合部２３は、凹部２５の咬合側（図面では下側）に形成される。第二の係合部２４は、凹部２５の歯根側（図面では上側）に形成される。
【０１０６】
より詳しくは、内側の係合部材２０は、歯の歯頚部にプラークが付着するのを防止するために、歯根側の端縁部が内側の歯肉５９の縁と接して隙間ができない状態となるように、歯列の内側に係合する。そのため、第二の係合部２４は、内側の係合部材２０の歯根側の端縁部（凹部２５の歯根側の端部）に形成され、主として歯頚部に係合する。
【０１０７】
また、臼歯５５，５８に対して、内側の係合部材２０は、歯の内側面をほぼ全体的に覆う高さ寸法を有している。そのため、第一の係合部２３は、内側の係合部材２０の咬合側の端縁部（凹部２５の咬合側の端部）に形成される。ただし、第一の係合部２３が臼歯５５，５８の咬合面にまで進出すると、下顎の歯と第一の係合部２３が当たり、歯の噛み合わせが変わってしまう。そのため、第一の係合部２３は、臼歯５５，５８の、歯根に向かうほど広がる方向に傾斜する傾斜部のうち、咬合面にかからない部位、例えば咬合面よりもわずかに歯根側の部位に係合する。
【０１０８】
外側の係合部材３０は、主として歯肉５９の外側面に配置される。そのため、第二の係合部３４は、外側の係合部材３０の咬合側の端縁部に形成される。ただし、臼歯５５，５８については、前歯よりもアンダーカット部が広く、かつ、奥まった位置にあって審美性にさほど気を使わなくてもよい。そのため、外側の係合部材３０の咬合側の端縁部は、歯頚部を超えて歯の外側面（例えば最大豊隆部あたり）まで延長するものであってもよい。
【０１０９】
なお、図示はしないが、審美処理として、外側の係合部材３０の外側面のうち、歯肉５９にかかる部位には、歯肉と同色の肌色を有して外観上歯肉に見せるための周知のコーティングが施され、また、外側の係合部材３０の外側面のうち、歯５５，５８にかかる部位には、歯と同色の白色を有して外観上歯に見せるための周知のコーティングが施される。
【０１１０】
部分義歯１の材質としてはコバルト・クロム・モリブデン合金や金合金といった金属のほか、ポリエーテルエーテルケトン（ＰＥＥＫ）樹脂といった合成樹脂やジルコニアといったセラミックを用いることができる。適用例１の１においては、人工歯１０の第一の分割体１２のベース部１２Ａ及び内側の係合部材２０は、金属材料を用いて鋳造により一体成型した金属製であり、また、人工歯１０の第二の分割体１３のベース部１３Ｃ及び外側の係合部材３０も、同じ金属材料を用いて鋳造により一体成型した金属製である。
【０１１１】
適用例１の１に係る部分義歯１は、以上の構成からなり、次に、この部分義歯１を歯列に装着する手順について説明する。
【０１１２】
まず、一対の係合部材２０，３０を開状態にする。これにより、一対の係合部材２０，３０は歯列を挿入可能に離間するので、この状態で、図８に示す如く、一対の係合部材２０，３０を歯列の内外に移動させる。
【０１１３】
一対の係合部材２０，３０を対応する位置まで移動させると、次に、図９に示す如く、内側の係合部材２０を歯列側に移動させて歯列に内側から係合させる。また、この操作により、人工歯１０は、第一の分割体１２が歯列の欠損部５１における歯槽堤の上の正規位置に配置される。なお、内側の係合部材２０でなく、先に外側の係合部材３０を歯列に当接させるようにしてもよい。
【０１１４】
次に、図１０に示す如く、外側の係合部材３０を歯列側に移動させて、一対の係合部材２０，３０を閉状態にし、図１１に示す如く、外側の係合部材３０を歯列に外側から係合させる。このとき、ロック構造１４により一対の係合部材２０，３０は閉状態に固定され、部分義歯１は歯列に装着される。
【０１１５】
ここで、適用例１の１に係る部分義歯１は、内側の係合部材２０に、傾斜の向きが互いに逆となる第一の係合部２０及び第二の係合部３０の両方が形成されている。そのため、部分義歯１が閉状態、すなわち装着形態のままでは、第二の係合部３０が歯列と干渉して部分義歯１を歯列に装着することはできない。しかし、適用例１の１に係る部分義歯１は、歯列を挿入可能に離間可能な開閉式を採用している。これにより、第一の係合部２０及び第二の係合部３０を歯列に対して横方向から係合させることができて、部分義歯１を歯列に容易に装着することができる。
【０１１６】
部分義歯１が歯列に装着されると、内側の係合部材２０の複数の凹部２５，…が歯列の内側面に面係合するとともに、内側の係合部材２０の複数の第一の係合部２３，…及び複数の第二の係合部２４，…が歯列の内側に係合する。加えて、外側の係合部材３０の複数の第二の係合部３４，…が歯列の外側に係合する。これにより、一対の係合部材２０，３０は、歯列を内側及び外側から包むように係合する。したがって、適用例１の１に係る部分義歯１は、歯列の内外方向（水平方向）、咬合方向（上下方向）及び歯列に対する回転方向のいずれの方向においても、動くことなく、歯列に強固に装着することができる。
【０１１７】
しかも、適用例１の１に係る部分義歯１は、金属製の剛体であり、撓みや変形が生じにくい。そのため、長期間使用しても、係合状態が弱まったり、不均一になったりすることはない。これにより、使用者は快適な装着感をもって部分義歯を使用することができる。
【０１１８】
また、適用例１の１に係る部分義歯１によれば、歯列に装着している間、複数の第一の係合部２３，…が、歯列における複数の歯（適用例１の１においては、左側２番の切歯５３、左側３番の犬歯５４、左側４番の臼歯５５及び左側７番の臼歯５８の四本の歯）のそれぞれの、歯根に向かうほど広がる方向に傾斜する傾斜部に係合している。そのため、人工歯１０にかかる咬合力を、欠損部５１における歯槽堤には実質的には作用せず、複数の歯に分散させることができる。これにより、部分床義歯が抱える、強力な咬合力を必要とする硬い食べ物は食べられないという問題や、荷重にアンバランスが生じるため、残存歯にかかる負担が大きく、この残存歯の寿命を縮めるという問題を解消することができる。
【０１１９】
しかも、適用例１の１に係る部分義歯１は、金属製の剛体であり、撓みや変形が生じにくい。そのため、長期間使用しても、係合状態が弱まったり、不均一になったりすることはない。これにより、咬合力の分散効果に偏りが生じて、特定の歯に咬合力が過度に作用してこの歯の寿命を縮めてしまうという問題は生じない。
【０１２０】
また、適用例１の１に係る部分義歯１は、残存歯をそのまま利用して装着するものである。これにより、クラウンブリッジのように部分義歯を合わせるために残存歯を切削するという必要がなくなる。そのため、健全歯質の喪失を防ぐことができるという使用者にとっては極めて大きな効果を奏する。
【０１２１】
また、適用例１の１に係る部分義歯１においては、人工歯１０が分割式となっている。そのため、例えば、金属より脆いコーティング部１３Ｄが欠ける、割れる、ベース部１３Ｃから剥離する等の不具合が経時的に発生したとしても、ヒンジ部４０を外して外側の係合部材３０側だけを改修するということが可能となる。これにより、材料費を低減したり、加工費を低減して、メインテナンス費用を抑えることができる。
【０１２２】
しかも、人工歯１０を分割式にしても、第一の分割体１２の実質的な平坦面である咬合側の横面１２ａと第二の分割体１３の同じく実質的な平坦面である歯根側の横面１３ｂとがしっかり面当接する。そのため、第二の分割体１３の咬合面１３ａにかかる咬合力は、第二の分割体１３、歯根側の横面１３ｂ及び咬合側の横面１２ａを介して第一の分割体１２に確実に伝達される。そして、第一の分割体１２に伝達された咬合力は内側の係合部材２０及び複数の第一の係合部２３，…を介して複数の残存歯に確実に分散・伝達される。これにより、人工歯１０にかかる咬合力を複数の残存歯で確実に負担することができる。なお、第一の分割体１２の咬合側の横面１２ａ及び第二の分割体１３の歯根側の横面１３ｂは、実質的には平坦面であるが、実際は、第一の分割体１２の咬合側の横面１２ａは、第二の分割体１３に向けて僅かに下り傾斜しており、また、第二の分割体１３の歯根側の横面１３ｂは、第一の分割体１２に向けて僅かに上り傾斜している。これにより、一対の係合部材２０，３０を閉状態にする際、第一の分割体１２と第二の分割体１３を円滑に合致させることができる。
【０１２３】
また、適用例１の１に係る部分義歯１においては、外側の係合部材３０の上下方向における幅は、内側の係合部材２０の上下方向における幅よりも狭くなっている。しかも、外側の係合部材３０は、歯肉側に偏在している。これにより、適用例１の１に係る部分義歯１は、審美性に優れたものとなっている。ただし、そのあたりが気にならない使用者であったり、コーティングにより審美処理をして外観上目立たなくさせることができるのであれば、外側の係合部材３０の上下方向における幅をもっと広くしたり、歯の外側面にもっと配置するようにして、係合力を高めるようにしてもよい。
【０１２４】
また、適用例１の１に係る部分義歯１においては、ロック構造１４は、一対の係合部材２０，３０の例えばヒンジ部４０とは反対側の先端部のような部位でなく、人工歯１０の第一の分割体１２と第二の分割体１３との間に設けられる。ロック構造が係合部材２０，３０の先端側に設けられる場合は、係合部材２０，３０の撓みが微小であってもヒンジ部４０からの距離が長くなると、その影響は多少あるため、ロック構造が不用意に外れてしまうという懸念がある。しかし、適用例１の１に係る部分義歯１においては、ロック構造１４はヒンジ部４０に近い人工歯１０の第一の分割体１２と第二の分割体１３との間に設けられているため、そのような問題はない。また、ロック構造１４は、人工歯１０における比較的広い分割面１１に設けられるため、設計の自由度が高い。しかも、ロック構造１４は、その分割面１１によって隠されるため、非常に衛生的でもある。
【０１２５】
＜適用例１の２＞
次に、適用例１に係る部分義歯の第二の具体例（適用例１の２）について、図１２を参酌して説明する。
【０１２６】
適用例１の２に係る部分義歯１は、上顎の右側６番及び右側７番の臼歯の欠損部５１及び左側６番及び左側７番の臼歯の欠損部５１を補綴するためのもので、残存するすべての歯（右側１番ないし５番及び左側１番ないし５番の歯５２ないし５６）の歯列に装着されるものである。
【０１２７】
基本的には、適用例１の１に係る部分義歯１を右側にも設け、左右二つの内側の係合部材２０，２０を双方延長して連結した構成と同じであるが、異なる点は、欠損部５１が最奥であるため、適用例１の１に係る部分義歯１のような一対の遠心側のアーム部２２，３２はなく、人工歯１０の第一の分割体１２と第二の分割体１３とがヒンジ部４０によりヒンジ結合される点である。
【０１２８】
外側の係合部材３０は、適用例１の２においては、適用例１の１と同様、右側及び左側の２番の切歯５３まで延びている。第一の係合部２４，…は、すべての残存歯５２ないし５６に対して設けられる（右側及び左側の１番及び２番の歯５２，５３に対するものは補助的な係合部としている。）。
【０１２９】
適用例１の２に係る部分義歯１によっても、適用例１の１に係る部分義歯１と同様の効果を奏するものである。
【０１３０】
なお、最奥の欠損部５１が右側又は左側のいずれか一方だけの場合は、１番ないし３番の前歯５２ないし５４におけるいずれかの部位にて適用例１の２に係る部分義歯１の右側又は左側のいずれか一方を無くした形態の部分義歯１を採用することができる。
【０１３１】
＜適用例１の３＞
次に、適用例１に係る部分義歯の第三の具体例（適用例１の３）について、図１３ないし図１８を参酌して説明する。
【０１３２】
図１３及び図１４に示す如く、適用例１の３に係る部分義歯１は、上顎の左側６番の臼歯の欠損部５１を補綴するためのもので、左側３番の犬歯５４、左側４番の臼歯５５、左側５番の臼歯５６及び左側７番の臼歯５８の歯列に装着されるものである。
【０１３３】
基本的には、適用例１の１に係る部分義歯１と同じ構成であるが、異なる点は、適用例１の１に係る部分義歯１では、ヒンジ部４０の軸は上下方向であり、一対の係合部材２０，３０は水平方向に開閉するのに対し、適用例１の３に係る部分義歯１では、ヒンジ部４０の軸は水平方向であり、一対の係合部材２０，３０は上下方向に開閉する点、また、そのヒンジ部４０について、適用例１の１に係る部分義歯１では、一対の遠心側のアーム部２２，３２の端部がヒンジ結合されるのに対し、適用例１の３に係る部分義歯１では、人工歯１０の第一の分割体１２と第二の分割体１３とが（歯列の内側の部位にて）ヒンジ結合される点である。
【０１３４】
また、適用例１の１に係る部分義歯１では、人工歯１０の第二の分割体１３の咬合部１３Ａを歯列の外側に押せば、ロック構造１４が外れて、一対の係合部材２０，３０を開状態にできるが、適用例１の３に係る部分義歯１では、ロック構造１４を外しやすくするために、外側の係合部材３０の外側面にフック３５が設けられる。
【０１３５】
適用例１の３に係る部分義歯１を歯列に装着する手順についても適用例１の１に係る部分義歯１と基本的には同じである。まず、一対の係合部材２０，３０を開状態にし、この状態で、図１５に示す如く、一対の係合部材２０，３０を歯列の内外に移動させる。一対の係合部材２０，３０を対応する位置まで移動させると、次に、図１６に示す如く、内側の係合部材２０を歯列側に移動させて歯列に内側から係合させる。
【０１３６】
次に、図１７に示す如く、外側の係合部材３０を歯列側に移動させて、一対の係合部材２０，３０を閉状態にし、図１８に示す如く、外側の係合部材３０を歯列に外側から係合させる。このとき、ロック構造１４により一対の係合部材２０，３０は閉状態に固定され、部分義歯１は歯列に装着される。
【０１３７】
ここで、適用例１の３に係る部分義歯１では、外側の係合部材３０を歯列側に移動させる際、外側の係合部材３０は、横方向に移動する適用例１の１に係る部分義歯１と異なり、ヒンジ部４０の軸を中心として咬合側から歯根側へと円弧状に移動する。しかし、ヒンジ部４０の位置の設定により、外側の係合部材３０は、太鼓状となる歯列の外側面に干渉することはなく、歯頸部に到達し、係合する。したがって、適用例１の３に係る上下開閉式の部分義歯１であっても、歯列に容易に装着することができる。
【０１３８】
＜適用例１のその他の態様＞
なお、適用例１に係る部分義歯は、上記適用例１の１ないし１の３に限定されるものではなく、適用例１の要旨を逸脱しない範囲で種々の変更が可能である。
【０１３９】
例えば、上記適用例１の１ないし１の３においては、一対の係合部材２０，３０は、ヒンジ部４０による回転構造により開閉するものである。しかし、例えば、一対の係合部材２０，３０が歯列の内外方向において平行的に相対変位して開閉するものであってもよい。
【０１４０】
また、上記適用例１の１ないし１の３においては、第一の係合部２３及び第二の係合部２４の組み合わせは、内側の係合部材２０に設けられるものである。しかし、第一の係合部２３及び第二の係合部２４の組み合わせは、外側の係合部材３０にも設けられるものであってもよいし、内側の係合部材２０でなく、外側の係合部材３０のみに設けられるものであってもよい。
【０１４１】
また、上記適用例１の１ないし１の３においては、人工歯１０は、分割式に構成される。しかし、人工歯１０は、分割式でなく、内側の係合部材２０又は外側の係合部材３０のいずれか一方の係合部材に設けられる単体式であってもよい。ただし、上述したとおり、改修する可能性が相対的に高いのは、外側の係合部材３０であるので、単体式を採る場合は、人工歯１０を内側の係合部材２０に設けるのが好ましい。
【０１４２】
また、上記適用例１の１ないし１の３においては、同じ歯に内側の係合部材２０及び外側の係合部材３０が係合するようになっている。しかし、これに限定されることはない。例えば、内側の係合部材２０が係合する歯の一部に外側の係合部材３０が係合する、あるいはこの逆であってもよいし、内側の係合部材２０が係合する歯と外側の係合部材３０が係合する歯が異なる、あるいは歯列方向にずれていてもよい。
【０１４３】
また、上記適用例１の１ないし１の３においては、基本的には、同じ歯に第一の係合部２３及び第二の係合部２４が係合するようになっている。しかし、第一の係合部２３が係合する歯と第二の係合部２４が係合する歯は完全一致していなくてもよい。例えば、第一の係合部２３が係合する歯の一部に第二の係合部２４が係合するようにしてもよいし、第一の係合部２３が係合する歯とは異なる歯に第二の係合部２４が係合するようにしてもよい。
【０１４４】
また、第一の係合部２３が係合する歯の数は、人工歯１０にかかる咬合力を好適に分散させる観点から、少なくとも三つの歯であるのが好ましい。また、これは欠損歯の数にもよるものであり、第一の係合部２３は、欠損歯の数の二倍以上の数の歯に係合するのが好ましい。
【０１４５】
また、上記適用例１の１ないし１の３においては、本来の噛み合わせを変えないよう、第一の係合部２３は、咬合面にかからない部位に設けられる。しかし、逆に、噛み合わせの矯正を目的として、第一の係合部２３は、咬合面にかかる部位に設けるようにしてもよい。
【０１４６】
また、上記適用例１の１ないし１の３においては、係合部材２０の各歯に対応する部位に凹部２５が設けられ、凹部２５の咬合側の端部に第一の係合部２３が設けられ、凹部２５の歯根側の端部に第二の係合部２４が設けられ、係合部材２０と歯の表面との係合が強固になるようにしている。しかし、面当接ではなく、第一の係合部２３及び第二の係合部２４が部分的に係合するようにしてもよい。
【０１４７】
また、上記適用例１の１ないし１の３においては、人工歯１０の第一の分割体１２と内側の係合部材２０、第二の分割体１３と外側の係合部材３０は、それぞれ、鋳造により一体成型したものである。しかし、製造方法は、鋳造に限定されず、切削による削り出しでもよい。また、人工歯１０と係合部材２０，３０とは、それぞれ別々に作成されたものを組み合わせて一体化したものでもよい。
【０１４８】
また、上記適用例１の１ないし１の３においては、人工歯１０の第一の分割面１１ａを構成する第一の分割体１２の咬合側の横面１２ａと第二の分割体１３の歯根側の横面１３ｂ、第二の分割面１１ｂを構成する第一の分割体１２の立面１２ｄと第二の分割体１３の立面１３ｄは、それぞれ、面当接するものである。しかし、これに限定されるものではない。第一の分割面１１ａは、咬合力を適切に伝達するために面当接するのが好ましいが、第二の分割面１１ｂは、必ずしも面当接せず、多少の隙間があってもよい。
【０１４９】
また、上記適用例１の１ないし１の３においては、人工歯１０の第二の分割体１３は、ベース部１３Ｃとコーティング部１３Ｄの積層構造となっている。しかし、これに限定されるものではなく、例えばベース部１３Ｃを構成する金属材料を用いてベース部１３Ｃ及びコーティング部１３Ｄに相当する形状のものを一体的に形成するようにしてもよい。要は、審美的に気にならないのであれば、コーティング部１３Ｄは用いずに、単体のベース部１３Ｃが人工歯１０の咬頭や咬合面、人工歯１０の外側面を備えるようにしてもよい。外側の係合部材３０の外側面に対するコーティング処理も同様である。審美的に気にならないのであれば、コーティング処理は必ずしも必須ではない。
【０１５０】
また、上記適用例１の１ないし１の３においては、ロック構造１４は、係合凹部と係合突起との組み合わせによるものである。しかし、これに限定されるものではなく、公知ないし周知のロック構造であって、開閉式の部分義歯に適用できるものであれば用いることができる。
【０１５１】
また、上記適用例１の１ないし１の３においては、ロック構造１４は、人工歯１０の分割面１１に設けられる。しかし、これに限定されるものではなく、ロック構造１４は、他の部位に設けるようにしてもよい。
【０１５２】
＜適用例２＞
適用例２に係る部分義歯は、
歯列の欠損部に配置される人工歯と、
人工歯を支持し、歯列の内側に係合する内側の係合部材と、
内側の係合部材又は人工歯に連結され、弾性を有し、内側の係合部材から離間する方向に弾性変形することで、内側の係合部材との間に歯列を挿入可能にするとともに、弾性復元することで、歯列の外側に係合する外側の係合部材とを備え、
内側の係合部材は、歯列における複数の歯のそれぞれの、歯根に向かうほど広がる方向に傾斜する傾斜部に係合する第一の係合部を備え、
外側の係合部材は、歯列における少なくとも一つの歯の、傾斜部とは反対側に傾斜するアンダーカット部に係合する第二の係合部を備える。
【０１５３】
かかる構成によれば、部分義歯を歯列に装着するに際しては、まず、部分義歯を歯列に対して適正な位置に合わせた後、歯根側に押し込む。これにより、第二の係合部が歯の外側面に当接して外側面の最大豊隆部に向かうのに伴い、外側の係合部材は内側の係合部材から離間する方向に弾性変更する。そして、第二の係合部が歯の外側面の最大豊隆部を超えると、外側の係合部材は弾性復元する。これにより、一対の係合部材が歯列の内側及び外側に係合し、部分義歯は歯列に装着される。
【０１５４】
そして、部分義歯が歯列に装着されると、第一の係合部が歯列の内側に係合するとともに、第二の係合部が歯列の外側に係合することで、一対の係合部材は、歯列を内側及び外側から挟み込むように係合する。したがって、部分義歯は、歯列の内外方向（水平方向）、咬合方向（上下方向）及び歯列に対する回転方向のいずれの方向においても、動くことなく、歯列に強固に装着される。
【０１５５】
加えて、部分義歯を装着している間、第一の係合部は、歯列における複数の歯のそれぞれの、歯根に向かうほど広がる方向に傾斜する傾斜部に係合している。そのため、人工歯にかかる咬合力は、欠損部における歯槽堤には実質的には作用せず、複数の歯に分散される。
【０１５６】
さらに、部分義歯を装着している間、第二の係合部は、歯列における少なくとも一つの歯の、傾斜部とは反対側に傾斜する傾斜部であるアンダーカット部に係合している。そのため、部分義歯が歯列から抜けることはない。
【０１５７】
他方、部分義歯を歯列から取り外すときは、部分義歯を咬合側に引く。これにより、第二の係合部が歯の外側面の最大豊隆部に向かうのに伴い、外側の係合部材は内側の係合部材から離間する方向に弾性変更し、一対の係合部材の間隔が拡がるので、部分義歯を取り外すことができる。
【０１５８】
ここで、適用例２に係る部分義歯の一態様として、歯列の両側において欠損部よりも遠心に歯がない両側遊離端に対する部分義歯であって、内側の係合部材は、両側端部のそれぞれに人工歯が連結されて歯列の内側に係合するアーチ状に形成され、外側の係合部材は、遠心から歯列に沿って近心に延びる左右一対のアーム部を備え、第二の係合部は、歯列における前歯及び臼歯を含む複数の歯のそれぞれに対応して、一対のアーム部のそれぞれに複数設けられる構成を採用することができる。
【０１５９】
また、適用例２に係る部分義歯の他態様として、歯列の右側又は左側の片側において欠損部よりも遠心に歯がない片側遊離端に対する部分義歯であって、内側の係合部材は、右側又は左側の片側端部に人工歯が連結されて歯列の内側に係合するアーチ状に形成され、外側の係合部材は、遠心から歯列に沿って近心に延びる左右一対のアーム部を備え、第二の係合部は、歯列における前歯及び臼歯を含む複数の歯のそれぞれに対応して、一対のアーム部のそれぞれに複数設けられる構成を採用することができる。
【０１６０】
これらの構成によれば、歯列の外側に複数の第二の係合部が異なる方向から係合するため、人工歯にかかる咬合力の向きによって部分義歯に前歯側が浮き上がろうとする力が作用したり、右側又は左側のいずれかが浮き上がろうとする力が作用しても、その方向にある第二の係合部が主として抵抗し、部分義歯の浮き上がりを防止することができる。
【０１６１】
また、適用例２に係る部分義歯の別の態様として、内側の係合部材は、欠損部に隣接する一つないし複数の歯のそれぞれに被せられるクラウン部を備える構成を採用することができる。
【０１６２】
かかる構成によれば、一対の係合部材が歯列を内側及び外側から挟み込むように係合することと相俟って、部分義歯は、歯列の内外方向（水平方向）、咬合方向（上下方向）及び歯列に対する回転方向のいずれの方向においても、動くことなく、歯列に強固に装着される。
【０１６３】
また、適用例２に係る部分義歯のさらに別の態様として、アーム部は、歯肉の外側面に配置され、外側の係合部材は、アーム部における複数の歯のそれぞれに対応する部位から各歯の外側面に向けて延びる複数のローチ部を備え、第二の係合部は、複数のローチ部のそれぞれの先端部に形成される構成を採用することができる。
【０１６４】
さらにこの場合、ローチ部は、歯の外側面に沿って湾曲する横バー部を第二の係合部として先端部に有するＴ字状に形成される構成を採用することができる。
【０１６５】
以上の如く、適用例２に係る部分義歯によれば、残存歯をそのまま利用することで、クラウンブリッジやインプラントのように残存歯や歯槽骨の切削を行う必要がなく、部分義歯を取り外し可能に装着することができる。また、適用例２に係る部分義歯によれば、人工歯にかかる咬合力を、義歯床を介して歯槽堤に負担させるのではなく、複数の残存歯に分散させて負担させるので、部分床義歯による諸問題を解消することができる。
【０１６６】
＜適用例２の１＞
以下、適用例２に係る部分義歯の第一の具体例（適用例２の１）について、図１９ないし図２３を参酌して説明する。なお、適用例２の１に係る部分義歯は上顎の歯列に装着されるものであるが、ここでは、便宜上、上顎を模った上顎模型を用い、これを実際の上顎とみなして説明する。
【０１６７】
図１９ないし図２２に示す如く、適用例２の１に係る部分義歯１は、左右の６番及び７番の臼歯の欠損部５１，５１を補綴するためのもので、左右の１番の切歯５２，５２、２番の切歯５３，５３、３番の犬歯５４，５４、４番の臼歯５５，５５及び５番の臼歯５６，５６の歯列に装着されるものである。すなわち、部分義歯１は、左右の欠損部５１，５１よりも遠心に歯がない、いわゆる両側遊離端に対するものである。
【０１６８】
部分義歯１は、欠損部５１に配置される人工歯１０と、人工歯１０を支持し、歯列に内側から係合する内側の係合部材２０と、人工歯１０に連結され、弾性を有し、内側の係合部材２０から離間する方向に弾性変形することで、内側の係合部材２０との間に歯列を挿入可能にするとともに、弾性復元することで、歯列に外側から係合する外側の係合部材３０とを備える。
【０１６９】
人工歯１０は、歯の形を模した単体、あるいはベース部に、歯と同色の白色を有して外観上歯に見せるための周知のコーティングを施した積層体である。適用例２の１においては、左右の６番及び７番の隣り合う二本の臼歯が欠損しており、人工歯１０は、この二本の歯を一体的に設けたものである。
【０１７０】
内側の係合部材２０は、歯列の全体に内側から係合するアーチ状を有する。適用例２の１においては、内側の係合部材２０は、左右の１番の切歯５２，５２、２番の切歯５３，５３、３番の犬歯５４，５４、４番の臼歯５５，５５及び５番の臼歯５６，５６の残存歯列の内側に係合するアーチ状を有する。
【０１７１】
図２３に詳細に示す如く、内側の係合部材２０は、歯の歯頚部にプラークが付着するのを防止するために、歯根側の端縁部が内側の歯肉５９の縁と接して隙間ができない状態となるように、歯列の内側に係合する。
【０１７２】
また、内側の係合部材２０は、対応する各歯の、歯根に向かうほど広がる方向に傾斜する傾斜部に係合する第一の係合部２３，…を備える。適用例２の１においては、内側の係合部材２０は、左右の１番の切歯５２，５２、２番の切歯５３，５３、３番の犬歯５４，５４、４番の臼歯５５，５５及び５番の臼歯５６，５６のそれぞれの歯に対し、第一の係合部２３を備える。
【０１７３】
また、内側の係合部材２０は、欠損部５１に近い一つ又は複数の臼歯の、咬合面から、歯根に向かうほど広がる方向に傾斜する内側及び外側の傾斜部にかけての部位（歯冠の咬合側の部位）に被せられるクラウン部２６を備える。適用例２の１においては、内側の係合部材２０は、左右の４番の臼歯５５，５５及び５番の臼歯５６，５６のそれぞれの歯に対し、クラウン部２６を備える。
【０１７４】
また、内側の係合部材２０は、所定の肉厚を有して近心の各歯の切端部に被せられるスペーサ部２７を備える。スペーサ部２７は、対応する各歯における第一の係合部２３の咬合側の端縁部から延び、内側から切端を通って外側に屈曲して、各歯の切端部に被せられる。スペーサ部２７は、外観上目立たなくさせるために透明な樹脂等で形成される。適用例２の１においては、内側の係合部材２０は、左右の１番の切歯５２，５２、２番の切歯５３，５３及び３番の犬歯５４，５４のそれぞれの前歯に対し、スペーサ部２７を備える。
【０１７５】
スペーサ部２７は、前歯列に沿って一体的に形成される。前歯列において、第一の係合部２３は、各歯の歯冠の咬合方向（上下方向）における中間部位を咬合側の端縁部として、前歯列に沿って連続している。そのため、スペーサ部２７は、前歯列における各歯の歯冠の咬合方向における中間部位よりも咬合側に配置される。
【０１７６】
外側の係合部材３０は、人工歯１０の所定部位、より詳しくは、６番の臼歯に対応する人工歯１０のうち、外側の歯頸部に対応する部位から歯列に沿って近心に延びるアーム部３１と、アーム部３１における各歯に対応する部位から各歯の外側面に向けて延びるＴ字状のローチ部３３，…とを備える。
【０１７７】
アーム部３１は、長尺であるため、弾性に起因する可撓性を有する。そして、各ローチ部３３が内側の係合部材２０から離間する方向（外側）にアーム部３１が弾性変形することで、ローチ部３３と内側の係合部材２０との間隔が拡がるようになっている。
【０１７８】
ローチ部３３の横バー部３３ａは、歯の、近心から遠心にかけて湾曲する外側面に適合するよう湾曲しており、歯の外側のアンダーカット部に係合する第二の係合部３４となる。適用例２の１においては、外側の係合部材３０は、アンダーカット部を有する左右の２番の切歯５３，５３、３番の犬歯５４，５４、４番の臼歯５５，５５及び５番の臼歯５６，５６のそれぞれの歯に対し、第二の係合部３４を備える。
【０１７９】
アーム部３１は、歯肉５９の外側面に配置される。そこからローチ部３３が咬合側に延び、歯の外側面に至る。第二の係合部３４（ローチ部３３の横バー部３３ａ）は、アンダーカット部のうち、最大豊隆部寄りに係合するようになっている。なお、アンダーカット部は必ずしもすべての歯（特に前歯）に存在するわけではないので、その場合は、第二の係合部３４は、単に歯の外側面に係合するということになる。
【０１８０】
なお、図示はしないが、審美処理として、外側の係合部材３０の外側面のうち、歯肉５９にかかる部位には、歯肉と同色の肌色を有して外観上歯肉に見せるための周知のコーティングが施され、また、外側の係合部材３０の外側面のうち、歯にかかる部位には、歯と同色の白色を有して外観上歯に見せるための周知のコーティングが施されることがある。
【０１８１】
部分義歯１の材質としては、部分義歯としての剛性を有しつつ、外側の係合部材３０のアーム部３１に弾性を与えることができる材質であればよく、例えば、コバルト・クロム・モリブデン合金や金合金といった金属のほか、ポリエーテルエーテルケトン（ＰＥＥＫ）樹脂といった合成樹脂やジルコニアといったセラミックを用いることができる。適用例２の１においては、人工歯１０、内側の係合部材２０（スペーサ部２７を除く。）及び外側の係合部材３０は、金属材料を用いて鋳造により一体成型した金属製である。
【０１８２】
適用例２の１に係る部分義歯１は、以上の構成からなり、次に、この部分義歯１を歯列に装着する手順について説明する。
【０１８３】
まず、部分義歯１を歯列に対して適正な位置に合わせた後、歯根側に押し込む。これにより、外側の係合部材３０の各ローチ部３３の横バー部３３ａ（第二の係合部３４）が歯の外側面に当接して外側面の最大豊隆部に向かうのに伴い、外側の係合部材３０は内側の係合部材２０から離間する方向に弾性変更する。そして、横バー部３３ａが歯の外側面の最大豊隆部を超えると、外側の係合部材３０は弾性復元する。これにより、図２３に示す如く、一対の係合部材２０，３０が歯列の内側及び外側に係合し、部分義歯１は歯列に装着される。
【０１８４】
ここで、適用例２の１に係る部分義歯１は、外側の係合部材３０に、各歯のアンダーカット部に係合する第二の係合部３４が形成されている。そのため、部分義歯１がそのままでは、第二の係合部３４が歯列（の外側面の豊隆部）と干渉して部分義歯１を歯列に装着することはできない。しかし、適用例２の１に係る部分義歯１は、外側の係合部材３０が内側の係合部材２０との間隔を拡げるように弾性変更可能となっている。これにより、第二の係合部３４を各歯の外側面の最大豊隆部を超えて最大豊隆部よりも歯根側にあるアンダーカット部に係合させることができて、部分義歯１を歯列に容易に装着することができる。
【０１８５】
部分義歯１が歯列に装着されると、内側の係合部材２０の複数の第一の係合部２３，…が歯列の内側に係合する。加えて、外側の係合部材３０の複数の第二の係合部３４，…が歯列の外側に係合する。これにより、一対の係合部材２０，３０は、歯列を内側及び外側から挟み込むように係合する。加えて、歯列における臼歯には、歯冠の咬合側の部位を覆うようにクラウン部２６が被せられる。したがって、適用例２の１に係る部分義歯１は、歯列の内外方向（水平方向）、咬合方向（上下方向）及び歯列に対する回転方向のいずれの方向においても、動くことなく、歯列に強固に装着することができる。
【０１８６】
しかも、適用例２の１に係る部分義歯１は、金属製の剛体であり、撓みや変形が生じにくい。そのため、長期間使用しても、係合状態が弱まったり、不均一になったりすることはない。これにより、使用者は快適な装着感をもって部分義歯を使用することができる。
【０１８７】
また、適用例２の１に係る部分義歯１によれば、歯列に装着している間、複数の第一の係合部２３，…が、歯列における複数の歯（適用例２の１においては、左右の１番の切歯５２，５２、２番の切歯５３，５３、３番の犬歯５４，５４、４番の臼歯５５，５５及び５番の臼歯５６，５６の十本の歯）のそれぞれの、歯根に向かうほど広がる方向に傾斜する傾斜部に係合している。そのため、人工歯１０にかかる咬合力を、欠損部５１における歯槽堤には実質的には作用せず、複数の歯に分散させることができる。これにより、部分床義歯が抱える、強力な咬合力を必要とする硬い食べ物は食べられないという問題や、荷重にアンバランスが生じるため、残存歯にかかる負担が大きく、この残存歯の寿命を縮めるという問題を解消することができる。
【０１８８】
加えて、左右の人工歯１０，１０に咬合力がかかることにより、部分義歯１に前歯側が浮き上がろうとする力が作用しても、２番の切歯５３，５３に係合する第二の係合部３４が主として抵抗し、浮き上がりを防止することができる。また、右側又は左側のいずれか一方の人工歯１０に咬合力がかかることにより、部分義歯１に右側又は左側のいずれか他方が浮き上がろうとする力が作用しても、右側又は左側のいずれか他方の３番ないし５番の歯に係合する第二の係合部３４が主として抵抗し、やはり浮き上がりを防止することができる。そして、このような浮き上がりの防止メカニズムは、それぞれの第二の係合部３４が歯の外側面に沿って湾曲した形状であることから、第二の係合部３４の端部によっても発生するものである。したがって、適用例２の１に係る部分義歯１は、咬合力がどのようにかかっても、歯列の内外方向（水平方向）、咬合方向（上下方向）及び歯列に対する回転方向のいずれの方向においても、動くことなく、歯列に強固に装着することができる。
【０１８９】
しかも、適用例２の１に係る部分義歯１は、金属製の剛体であり、撓みや変形が生じにくい。そのため、長期間使用しても、係合状態が弱まったり、不均一になったりすることはない。これにより、咬合力の分散効果に偏りが生じて、特定の歯に咬合力が過度に作用してこの歯の寿命を縮めてしまうという問題は生じない。
【０１９０】
また、適用例２の１に係る部分義歯１は、残存歯をそのまま利用して装着するものである。これにより、クラウンブリッジのように部分義歯を合わせるために残存歯を切削するという必要がなくなる。そのため、健全歯質の喪失を防ぐことができるという使用者にとっては極めて大きな効果を奏する。
【０１９１】
また、適用例２の１に係る部分義歯１は、クラウン部２６の肉厚によってクラウン部２６が被せられる歯の高さが高くなる分、人工歯１０も本来の欠損歯よりも高さが高くなるように形成するとともに、前歯には、所定の肉厚を有するスペーサ部２７が被せられる。これにより、残存歯列が適切な噛み合わせとなっていない場合に、噛み合わせを矯正（再構成）することができる。
【０１９２】
＜適用例２の２＞
次に、適用例２に係る部分義歯の第二の具体例（適用例２の２）について、図２４及び図２５を参酌して説明する。
【０１９３】
適用例２の２に係る部分義歯１は、適用例２の１のように両側遊離端ではなく、片側遊離端（適用例２の２においては、左側６番の臼歯及び左側７番の臼歯の欠損）に対するものである。そのため、基本的には、適用例２の１に係る部分義歯１と同じ構成であるが、異なる点は、適用例２の２においては、右側の人工歯１０が不要となるため、右側の外側の係合部材３０は、連結部３１ａを介して内側の係合部材２０の右側端部に連結される点である。具体的には、適用例２の２においては、内側の係合部材２０は、右側５番の臼歯５６まで係合可能な歯列方向長さを有し、この右側端部に、右側５番の臼歯と右側６番の臼歯との歯間部を通って外側から内側に延びる連結部３１ａが連結される。なお、適用例２の２においては、右側の外側の係合部材３０は、内側の係合部材２０と一体成型されて内側の係合部材２０に連結される。
【０１９４】
もう一つの異なる点は、適用例２の２においては、噛み合わせの矯正を行わない点である。そのため、適用例２の２においては、適用例２の１に係る部分義歯１のクラウン部２６及びスペーサ部２７は、設けられていない。そのため、図２５（ｂ）に示す如く、左右の臼歯５５，５６に対し、内側の係合部材２０は、歯の内側面をほぼ全体的に覆う高さ寸法を有し、第一の係合部２３は、内側の係合部材２０の咬合側の端縁部に形成される。ただし、第一の係合部２３が臼歯５５，５６の咬合面にまで進出すると、下顎の歯と第一の係合部２３が当たり、歯の噛み合わせが変わってしまう。そのため、第一の係合部２３は、臼歯５５，５６の、歯根に向かうほど広がる方向に傾斜する傾斜部のうち、咬合面にかからない部位、例えば咬合面よりもわずかに歯根側の部位に係合するようになっている。右側の外側の係合部材３０の連結部３１ａも同様である。
【０１９５】
適用例２の２に係る部分義歯１によっても、適用例２の１に係る部分義歯１と同様の効果を奏するものである。
【０１９６】
＜適用例２のその他の態様＞
なお、適用例２に係る部分義歯は、上記適用例２の１ないし２の２に限定されるものではなく、適用例２の要旨を逸脱しない範囲で種々の変更が可能である。
【０１９７】
例えば、上記適用例２の１においては、噛み合わせの矯正を行っており、上記適用例２の２においては、噛み合わせの矯正を行っていない。しかし、適用例２の１において、クラウン部２６及びスペーサ部２７を設けない（噛み合わせの矯正を行わない）ようにしてもよいし、適用例２の２において、クラウン部２６及びスペーサ部２７を設ける（噛み合わせの矯正を行う）ようにしてもよい。
【０１９８】
また、上記適用例２の１においては、残存歯列のすべての歯に第一の係合部２３が係合し、上記適用例２の１ないし２の２においては、左右１番の切歯５２，５２を除き、残存歯列のすべての歯に第二の係合部３４が係合するようになっている。しかし、適用例２の効果を損なわない程度において、第一の係合部２３や第二の係合部３４の数を減らしてもよい。
【０１９９】
また、上記適用例２の１ないし２の２においては、外側の係合部材３０は、アーム部３１と、アーム部３１における各歯に対応する部位から各歯の外側面に向けて延びるローチ部３３を備え、第二の係合部３４は、ローチ部３３の先端部（横バー部３３ａ）に形成される。しかし、第二の係合部３４の形成は、この形態に限定されるものではない。例えば、ローチ部３３を設けず、第二の係合部３４は、内側の係合部材２０（アーム部３１）の咬合側の端縁部に形成され、主として歯頚部に係合するようにしてもよい。
【０２００】
また、上記適用例２の１ないし２の２においては、ローチ部３３は、歯の外側面に沿って湾曲する横バー部３３ａを第二の係合部３４として先端部に有するＴ字状に形成される。しかし、ローチ部３３は、Ｉ字状、Ｌ字状、Ｕ字状といった他の形状であってもよい。
【０２０１】
また、上記適用例２の１ないし２の２に係る部分義歯１は、両側又は片側の遊離端に対する部分義歯である。しかし、欠損部５１よりも遠心に自然歯が残存する中間欠損に対する部分義歯であってもよい。この場合、７番の臼歯（や、存在するならば８番の臼歯）に対しては、上記適用例２の１に係る部分義歯１の４番や５番の歯に対する構成（クラウン部２６を有する構成）や、上記適用例２の２に係る部分義歯１の４番や５番の歯に対する構成（クラウン部２６を有さず、咬合面の周りに第一の係合部２３が係合する構成）が採られることとなる。
【０２０２】
また、上記適用例２の１に係る部分義歯１は、両側遊離端に対する部分義歯であり、上記適用例２の２に係る部分義歯１は、片側遊離端に対する部分義歯である。しかし、上記適用例２の１に係る部分義歯１において、１番ないし３番の前歯５２ないし５４におけるいずれかの部位にて右側又は左側のうち欠損部５１と反対側を無くした形態の部分義歯を片側遊離端に対する部分義歯として採用することができる。
【０２０３】
また、第一の係合部２３が係合する歯の数は、人工歯１０にかかる咬合力を好適に分散させる観点から、少なくとも三つの歯であるのが好ましい。また、これは欠損歯の数にもよるものであり、第一の係合部２３は、欠損歯の数の二倍以上の数の歯に係合するのが好ましい。
【０２０４】
＜適用例３＞
適用例３に係る部分義歯は、
歯列の欠損部に配置される人工歯と、
人工歯を支持し、アーチ状となって歯列の内側に係合する第一の状態と、幅が狭まるように屈曲する第二の状態とに変形可能な係合部材と、
第一の状態を解除可能に固定するためのロック構造とを備え、
係合部材は、歯列における複数の歯のそれぞれの、歯根に向かうほど広がる方向に傾斜する傾斜部に係合する第一の係合部を備えるとともに、歯列における複数の歯のそれぞれの、傾斜部とは反対側に傾斜するアンダーカット部に係合する第二の係合部を備える。
【０２０５】
かかる構成によれば、部分義歯を歯列に装着するに際しては、まず、係合部材を第二の状態にする。これにより、係合部材は歯列の内側に挿入可能となるので、この状態で、係合部材を歯列の内側に移動させる。そして、係合部材を第一の状態にする。これにより、係合部材が歯列の内側に係合し、かつ、ロック構造が働いて、部分義歯は歯列に装着される。
【０２０６】
そして、部分義歯が歯列に装着されると、第一の係合部及び第二の係合部が歯列の内側に係合する。しかも、係合部材は、両端よりも中央が凸となるアーチ状となっており、第一の係合部及び第二の係合部は、アーチの複数箇所に設けられる。したがって、部分義歯は、歯列の内外方向（水平方向）、咬合方向（上下方向）及び歯列に対する回転方向のいずれの方向においても、動くことなく、歯列に強固に装着される。
【０２０７】
加えて、部分義歯を装着している間、第一の係合部は、歯列における複数の歯のそれぞれの、歯根に向かうほど広がる方向に傾斜する傾斜部に係合している。そのため、人工歯にかかる咬合力は、欠損部における歯槽堤には実質的には作用せず、複数の歯に分散される。
【０２０８】
さらに、部分義歯を装着している間、第二の係合部は、歯列における複数の歯のそれぞれの、傾斜部とは反対側に傾斜する傾斜部であるアンダーカット部に係合している。そのため、部分義歯が歯列から抜けることはない。
【０２０９】
他方、部分義歯を歯列から取り外すときは、ロック構造を解除して係合部材を第二の状態にする。これにより、係合部材の幅が狭まり、係合部材が歯列から離間し、部分義歯を取り外すことができる。
【０２１０】
ここで、適用例３に係る部分義歯の一態様として、係合部材は、複数の歯のそれぞれ表面に沿う形状の凹部を備え、凹部の咬合側の端部に第一の係合部が形成されるとともに、凹部の歯根側の端部に第二の係合部が形成される構成を採用することができる。
【０２１１】
かかる構成によれば、最大豊隆部を歯冠の上下方向中間部に有することで太鼓状となる歯（４番ないし７番の臼歯）の表面を包むように凹部が歯の表面に面当接し、部分義歯は、より強固に歯列に装着される。
【０２１２】
また、適用例３に係る部分義歯の他態様として、係合部材は、遠心から歯列に沿って近心に延びる第一の係合部材と、第一の係合部材の近心の端部に回転可能に連結され、ここからさらに歯列に沿って延びる第二の係合部材とを備え、第一の係合部及び第二の係合部は、第一の係合部材及び第二の係合部材のそれぞれに設けられる構成を採用することができる。
【０２１３】
かかる構成によれば、部分義歯を歯列に装着するに際しては、まず、第二の係合部材を第一の係合部材側に回転させて、係合部材を第二の状態にする。これにより、係合部材は歯列の内側に挿入可能となるので、この状態で、係合部材を歯列の内側に移動させる。そして、第二の係合部材を第一の係合部材と反対側に回転させて、係合部材を第一の状態にする。これにより、係合部材が歯列の内側に係合し、かつ、ロック構造が働いて、部分義歯は歯列に装着される。
【０２１４】
他方、部分義歯を歯列から取り外すときは、ロック構造を解除して、第二の係合部材を第一の係合部材側に回転させて、係合部材を第二の状態にする。これにより、係合部材の幅が狭まり、係合部材が歯列から離間し、部分義歯を取り外すことができる。
【０２１５】
この場合、係合部材は、第一の係合部材の近心の端部と、第二の係合部材の連結側の端部とが歯列の内外方向において重なり合う重合部を備え、ロック構造は、重合部における第一の係合部材と第二の係合部材との重合面に設けられる構成を採用することができる。
【０２１６】
かかる構成によれば、係合部材を第二の状態から第一の状態にして、係合部材が歯列の内側に係合する際、ロック構造により係合部材が第一の状態に固定されて、部分義歯は歯列に装着される。他方、部分義歯を歯列から取り外すときは、ロック構造を解除して係合部材を第二の状態にし、係合部材を歯列から離間させて、部分義歯を取り外す。
【０２１７】
以上の如く、適用例３に係る部分義歯によれば、残存歯をそのまま利用することで、クラウンブリッジやインプラントのように残存歯や歯槽骨の切削を行う必要がなく、部分義歯を取り外し可能に装着することができる。また、適用例３に係る部分義歯によれば、人工歯にかかる咬合力を、義歯床を介して歯槽堤に負担させるのではなく、複数の残存歯に分散させて負担させるので、部分床義歯による諸問題を解消することができる。
【０２１８】
＜適用例３の１＞
以下、適用例３に係る部分義歯の具体例（適用例３の１）について、図２６ないし図３２を参酌して説明する。なお、適用例３の１に係る部分義歯は上顎の歯列に装着されるものであるが、ここでは、便宜上、上顎を模った上顎模型を用い、これを実際の上顎とみなして説明する。
【０２１９】
図２６ないし図３０に示す如く、適用例３の１に係る部分義歯１は、左右の１番及び２番の前歯の欠損部５１を補綴するためのもので、左右の３番の犬歯５４，５４、４番の臼歯５５，５５、５番の臼歯５６，５６、６番の臼歯５７，５７及び７番の臼歯５８，５８の歯列に装着されるものである。
【０２２０】
部分義歯１は、欠損部５１に配置される人工歯１０と、人工歯１０を支持し、アーチ状となって歯列の内側に係合する第一の状態と、幅が狭まるように屈曲する第二の状態とに変形可能な係合部材２０Ａ，２０Ｂとを備える。
【０２２１】
人工歯１０は、ベース部１５に、歯と同色の白色を有して外観上歯に見せるための周知のコーティング（コーティング部１６）を施した積層体である。適用例３の１においては、左右の１番及び２番の隣り合う四本の前歯が欠損しており、人工歯１０は、この四本の歯を一体的に設けたものである。
【０２２２】
係合部材２０Ａ，２０Ｂは、遠心から歯列に沿って近心に延びる第一の係合部材２０Ａと、第一の係合部材２０Ａの近心の端部に回転可能に連結され、ここからさらに歯列に沿って延びる第二の係合部材２０Ｂとを備える。適用例３の１においては、第一の係合部材２０Ａは、左側７番の臼歯５８から左側３番の犬歯５４に延び、さらに欠損部５１を埋めるように延びる。他方、第二の係合部材２０Ｂは、欠損部５１から始まり、右側３番の犬歯から右側７番の臼歯５８に延びる。
【０２２３】
第一の係合部材２０Ａの近心の端部、すなわち、第一の係合部材２０Ａの欠損部５１における部位と、第二の係合部材２０Ｂの近心の端部、すなわち、第二の係合部材２０Ｂの欠損部５１における部位は、前者が外側、後者が内側となるようにして、重なり合い、重合部２８を構成する。なお、第一の係合部材２０Ａの欠損部５１における部位は、人工歯１０のベース部１５を兼ねている。
【０２２４】
第二の係合部材２０Ｂの近心の端部は、重合部２８において、第一の係合部材２０Ａの近心の端部に回転可能に連結される。適用例３の１においては、第二の係合部材２０Ｂの近心の先端部と、第一の係合部材２０Ａの近心の端部のうち、左側１番及び２番の前歯の間に相当する部位とがピン軸４１を用いたヒンジ部４０にて回転可能に連結される。
【０２２５】
そして、重合部２８における第一の係合部材２０Ａと第二の係合部材２０Ｂとの重合面２８ａ，２８ｂには、第一の係合部材２０Ａの近心の端部と第二の係合部材２０Ｂの近心の端部（連結側の端部）の重合状態（合致状態）を解除可能に固定するためのロック構造２９が設けられる。
【０２２６】
ロック構造２９は、第一の係合部材２０Ａの重合面２８ａ又は第二の係合部材２０Ｂの重合面２８ｂのいずれか一方の立面に形成される係合凹部と、いずれか他方の立面に形成される係合突起とで構成される。第二の係合部材２０Ｂが歯列の内側に係合する方向に回転するのに伴って、第一の係合部材２０Ａの近心の端部と第二の係合部材２０Ｂの連結側の端部とが重合（合致）する際、係合突起が係合凹部に弾性変形的に係入し、ロックがかかるようになっている。また、第二の係合部材２０Ｂが歯列の内側から離間する方向に回転するのに伴って、第一の係合部材２０Ａの近心の端部と第二の係合部材２０Ｂの連結側の端部とが分離する際、係合突起による係合凹部への係止が外れ、ロックが解除されるようになっている。
【０２２７】
第一の係合部材２０Ａ及び第二の係合部材２０Ｂのそれぞれは、対応する各歯の、歯根に向かうほど広がる方向に傾斜する傾斜部に係合する第一の係合部２３，…を備えるとともに、この傾斜部とは反対側に傾斜するアンダーカット部がある歯の、当該アンダーカット部に係合する第二の係合部２４，…を備える。適用例３の１においては、第一の係合部材２０Ａは、左側３番の犬歯５４、左側４番の臼歯５５、左側５番の臼歯５６、左側６番の臼歯５７及び左側７番の臼歯５８のそれぞれの歯に対し、第一の係合部２３を備え、アンダーカット部を有する左側３番の犬歯５４、左側４番の臼歯５５、左側５番の臼歯５６、左側６番の臼歯５７及び左側７番の臼歯５８のそれぞれの歯に対し、第二の係合部２４を備える。第二の係合部材２０Ｂは、右側３番の犬歯５４、右側４番の臼歯５５、右側５番の臼歯５６、右側６番の臼歯５７及び右側７番の臼歯５８のそれぞれの歯に対し、第一の係合部２３を備え、アンダーカット部を有する右側３番の犬歯５４、右側４番の臼歯５５、右側５番の臼歯５６、右側６番の臼歯５７及び右側７番の臼歯５８のそれぞれの歯に対し、第二の係合部２４を備える。
【０２２８】
また、第一の係合部２３は、第一の係合部材２０Ａの近心の先端部にも設けられる（図２９参照）。適用例３の１においては、第一の係合部材２０Ａは、右側３番の犬歯５４に対し、第一の係合部２３を備える。
【０２２９】
図３１に示す如く、第一の係合部材２０Ａ及び第二の係合部材２０Ｂのそれぞれは、各歯の内側面に沿う形状の凹部２５を備える。第一の係合部２３は、凹部２５の咬合側（図面では下側）に形成される。第二の係合部２４は、凹部２５の歯根側（図面では上側）に形成される。
【０２３０】
より詳しくは、第一の係合部材２０Ａ及び第二の係合部材２０Ｂのそれぞれは、歯の歯頚部にプラークが付着するのを防止するために、歯根側の端縁部が内側の歯肉５９の縁と接して隙間ができない状態となるように、歯列の内側に係合する。そのため、第二の係合部２４は、第一の係合部材２０Ａ及び第二の係合部材２０Ｂのそれぞれの歯根側の端縁部（凹部２５の歯根側の端部）に形成され、主として歯頚部に係合する。
【０２３１】
また、臼歯５５ないし５８に対して、第一の係合部材２０Ａ及び第二の係合部材２０Ｂのそれぞれは、歯の内側面をほぼ全体的に覆う高さ寸法を有している。そのため、第一の係合部２３は、第一の係合部材２０Ａ及び第二の係合部材２０Ｂのそれぞれの咬合側の端縁部（凹部２５の咬合側の端部）に形成される。ただし、第一の係合部２３が臼歯５５ないし５８の咬合面にまで進出すると、下顎の歯と第一の係合部２３が当たり、歯の噛み合わせが変わってしまう。そのため、第一の係合部２３は、臼歯５５ないし５８の、歯根に向かうほど広がる方向に傾斜する傾斜部のうち、咬合面にかからない部位、例えば咬合面よりもわずかに歯根側の部位に係合する。
【０２３２】
部分義歯１の材質としてはコバルト・クロム・モリブデン合金や金合金といった金属のほか、ポリエーテルエーテルケトン（ＰＥＥＫ）樹脂といった合成樹脂やジルコニアといったセラミックを用いることができる。適用例３の１においては、第一の係合部材２０Ａ及び第二の係合部材２０Ｂのそれぞれは、金属材料を用いて鋳造により一体成型した金属製である。
【０２３３】
適用例３の１に係る部分義歯１は、以上の構成からなり、次に、この部分義歯１を歯列に装着する手順について説明する。
【０２３４】
まず、係合部材２０Ａ，２０Ｂを幅が狭まるように屈曲して第二の状態にする。これにより、係合部材２０Ａ，２０Ｂは歯列の内側に挿入可能となるので、この状態で、係合部材２０Ａ，２０Ｂを歯列の内側に移動させる。
【０２３５】
係合部材２０Ａ，２０Ｂを対応する位置まで移動させると、次に、図３２（ａ）に示す如く、第一の係合部材２０Ａを歯列側に移動させて歯列に内側から係合させる。また、この操作により、人工歯１０は、歯列の欠損部５１における歯槽堤の上の正規位置に配置される。
【０２３６】
次に、図３２（ｂ）に示す如く、第二の係合部材２０Ｂを歯列側に移動させて、係合部材２０Ａ，２０Ｂをアーチ状となる第一の状態にし、第二の係合部材２０Ｂを歯列に内側から係合させる。このとき、ロック構造２９により係合部材２０Ａ，２０Ｂは第一の状態に固定され、部分義歯１は歯列に装着される。
【０２３７】
ここで、適用例３の１に係る部分義歯１は、第一の係合部材２０Ａ及び第二の係合部材２０Ｂのそれぞれに、傾斜の向きが互いに逆となる第一の係合部２３及び第二の係合部２４の両方が形成されている。そのため、部分義歯１が第一の状態、すなわち装着形態のままでは、第二の係合部２４が歯列（の内側面の豊隆部）と干渉して部分義歯１を歯列に装着することはできない。しかし、適用例３の１に係る部分義歯１は、係合部材２０Ａ，２０Ｂの幅（第一の係合部材２０Ａの遠心の端部と第二の係合部材２０Ｂの遠心の端部との間隔）が狭まり、歯列の内側に挿入可能となる屈曲式を採用している。これにより、第一の係合部２３及び第二の係合部２４を歯列に対して横方向から係合させることができて、部分義歯１を歯列に容易に装着することができる。
【０２３８】
部分義歯１が歯列に装着されると、第一の係合部材２０Ａ及び第二の係合部材２０Ｂのそれぞれの複数の凹部２５，…が歯列の内側面に面係合するとともに、第一の係合部材２０Ａ及び第二の係合部材２０Ｂのそれぞれの複数の第一の係合部２３，…及び複数の第二の係合部２４，…が歯列の内側に係合する。これにより、係合部材２０Ａ，２０Ｂは、歯列の内側で突っ張るように係合する。したがって、適用例３の１に係る部分義歯１は、歯列の内外方向（水平方向）、咬合方向（上下方向）及び歯列に対する回転方向のいずれの方向においても、動くことなく、歯列に強固に装着することができる。
【０２３９】
しかも、適用例３の１に係る部分義歯１は、金属製の剛体であり、撓みや変形が生じにくい。そのため、長期間使用しても、係合状態が弱まったり、不均一になったりすることはない。これにより、使用者は快適な装着感をもって部分義歯を使用することができる。
【０２４０】
また、適用例３の１に係る部分義歯１によれば、歯列に装着している間、複数の第一の係合部２３，…が、歯列における複数の歯（適用例３の１においては、左右の３番の犬歯５４，５４、４番の臼歯５５，５５、５番の臼歯５６，５６、６番の臼歯５７，５７及び７番の臼歯５８，５８の十本の歯）のそれぞれの、歯根に向かうほど広がる方向に傾斜する傾斜部に係合している。そのため、人工歯１０にかかる咬合力を、欠損部５１における歯槽堤には実質的には作用せず、複数の歯に分散させることができる。これにより、部分床義歯が抱える、強力な咬合力を必要とする硬い食べ物は食べられないという問題や、荷重にアンバランスが生じるため、残存歯にかかる負担が大きく、この残存歯の寿命を縮めるという問題を解消することができる。
【０２４１】
しかも、適用例３の１に係る部分義歯１は、金属製の剛体であり、撓みや変形が生じにくい。そのため、長期間使用しても、係合状態が弱まったり、不均一になったりすることはない。これにより、咬合力の分散効果に偏りが生じて、特定の歯に咬合力が過度に作用してこの歯の寿命を縮めてしまうという問題は生じない。
【０２４２】
また、適用例３の１に係る部分義歯１は、残存歯をそのまま利用して装着するものである。これにより、クラウンブリッジのように部分義歯を合わせるために残存歯を切削するという必要がなくなる。そのため、健全歯質の喪失を防ぐことができるという使用者にとっては極めて大きな効果を奏する。
【０２４３】
また、適用例３の１に係る部分義歯１においては、ロック構造２９は、第一及び第二の係合部材２０Ａ，２０Ｂの重合部２８に設けられる。そのため、設計の自由度が高い。しかも、ロック構造２９は、第一及び第二の係合部材２０Ａ，２０Ｂの重合面２８ａ，２８ｂによって隠されるため、非常に衛生的でもある。
【０２４４】
＜適用例３のその他の態様＞
なお、本発明に係る部分義歯は、上記適用例３の１に限定されるものではなく、適用例３の要旨を逸脱しない範囲で種々の変更が可能である。
【０２４５】
例えば、上記適用例３の１においては、係合部材２０Ａ，２０Ｂは、ヒンジ部４０による回転構造により屈曲するものである。しかし、例えば、第二の係合部材２０Ｂ（の端部）が第一の係合部材２０Ａ上をスライドすることにより、屈曲した形態となるものであってもよい。
【０２４６】
また、上記適用例３の１においては、係合部材は、第一の係合部材２０Ａと第二の係合部材２０Ｂとで構成されている。しかし、係合部材は、一つの部材で構成するようにしてもよい。例えば、中間部に弾性変形可能な変形部を有した一つの部材からなる係合部材であってもよい。
【０２４７】
また、上記適用例３の１においては、人工歯１０は第一の係合部材２０Ａに設けられる。しかし、人工歯１０は、第二の係合部材２０Ｂに設けられるものであってもよい。あるいは、人工歯１０を分割式とし、人工歯１０の第一の分割体が第一の係合部材２０Ａに設けられ、人工歯１０の第二の分割体が第二の係合部材２０Ｂに設けられるものであってもよい。
【０２４８】
また、上記適用例３の１においては、同じ歯番の歯に第一の係合部材２０Ａ及び第二の係合部材２０Ｂが係合するようになっている。しかし、これに限定されることはない。例えば、第一の係合部材２０Ａが係合する歯の数が第二の係合部材２０Ｂが係合する歯の数よりも多くなるあるいは少なくなるように、第一の係合部材２０Ａ及び第二の係合部材２０Ｂのそれぞれの歯列方向長さが異なっていてもよい。よって、第一の係合部材２０Ａ及び第二の係合部材２０Ｂのそれぞれが最奥歯（７番の臼歯５８）まで延びていることも必須ではない。
【０２４９】
また、上記適用例３の１においては、基本的には、同じ歯に第一の係合部２３及び第二の係合部２４が係合するようになっている。しかし、第一の係合部２３が係合する歯と第二の係合部２４が係合する歯は完全一致していなくてもよい。例えば、第一の係合部２３が係合する歯の一部に第二の係合部２４が係合するようにしてもよいし、第一の係合部２３が係合する歯とは異なる歯に第二の係合部２４が係合するようにしてもよい。
【０２５０】
また、第一の係合部２３が係合する歯の数は、人工歯１０にかかる咬合力を好適に分散させる観点から、少なくとも三つの歯であるのが好ましい。また、これは欠損歯の数にもよるものであり、第一の係合部２３は、欠損歯の数の二倍以上の数の歯に係合するのが好ましい。
【０２５１】
また、上記適用例３の１においては、本来の噛み合わせを変えないよう、第一の係合部２３は、咬合面にかからない部位に設けられる。しかし、逆に、噛み合わせの矯正を目的として、第一の係合部２３は、咬合面にかかる部位に設けるようにしてもよい。
【０２５２】
また、上記適用例３の１においては、第一の係合部材２０Ａ及び第二の係合部材２０Ｂのそれぞれの各歯に対応する部位に凹部２５が設けられ、凹部２５の咬合側の端部に第一の係合部２３が設けられ、凹部２５の歯根側の端部に第二の係合部２４が設けられ、係合部材２０Ａ，２０Ｂと歯の表面との係合が強固になるようにしている。しかし、面当接ではなく、第一の係合部２３及び第二の係合部２４が部分的に係合するようにしてもよい。
【０２５３】
また、上記適用例３の１においては、人工歯１０のベース部１５と第一の係合部材２０Ａ、第二の係合部材２０Ｂは、それぞれ、鋳造により一体成型したものである。しかし、製造方法は、鋳造に限定されず、切削による削り出しでもよい。また、人工歯１０と係合部材２０Ａ，２０Ｂとは、それぞれ別々に作成されたものを組み合わせて一体化したものでもよい。
【０２５４】
また、上記適用例３の１においては、ロック構造２９は、係合凹部と係合突起との組み合わせによるものである。しかし、これに限定されるものではなく、公知ないし周知のロック構造であって、屈曲式の部分義歯に適用できるものであれば用いることができる。
【０２５５】
また、上記適用例３の１においては、ロック構造２９は、第一及び第二の係合部材２０Ａ，２０Ｂの重合部２８の重合面２８ａ，２８ｂに設けられる。しかし、これに限定されるものではなく、ロック構造２９は、他の部位に設けるようにしてもよい。例えば、第一及び第二の係合部材２０Ａ，２０Ｂの重合部２８を設けることなく、第一の係合部材２０Ａの近心の端面と第二の係合部材２０Ｂの近心の端面とを当接させて第一の状態が得られるようにした上で、この端面にロック構造を設けるようにしてもよい。
【０２５６】
また、上記適用例３の１に係る部分義歯１は、前歯が欠損している中間欠損に対する部分義歯である。しかし、欠損部５１が右側あるいは左側に偏った位置にある中間欠損に対する部分義歯であってもよい。
【符号の説明】
【０２５７】
１…部分義歯、２…クラウン、１０…人工歯、１１…分割面、１１ａ…第一の分割面、１１ｂ…第二の分割面、１２…第一の分割体、１２Ａ…ベース部、１２ａ…咬合側の横面、１２ｂ…歯根側の横面、１２ｃ…人工歯の内側面、１２ｄ…立面、１３…第二の分割体、１３Ａ…咬合部、１３Ｂ…外側部、１３Ｃ…ベース部、１３Ｄ…コーティング部、１３ａ…人工歯の咬合面、１３ｂ…歯根側の横面、１３ｃ…人工歯の外側面、１３ｄ…立面、１４…ロック構造、１５…ベース部、１６…コーティング部、２０…内側の係合部材、２０Ａ…第一の係合部材、２０Ｂ…第二の係合部材、２１…近心側のアーム部、２２…遠心側のアーム部、２３…第一の係合部、２４…第二の係合部、２５…凹部、２６…クラウン部、２７…スペーサ部、２８…重合部、２８ａ，２８ｂ…重合面、２９…ロック構造、３０…外側の係合部材、３１…近心側のアーム部，アーム部、３１ａ…連結端部、３２…遠心側のアーム部、３３…ローチ部、３３ａ…横バー部、３４…第二の係合部、３５…フック、４０…ヒンジ部、４１…ピン軸、５０…本模型、５０ａ…直立部、５０ｂ…マージン部、５１…欠損部、５２，５３…切歯、５４…犬歯、５５〜５８…臼歯、５９…歯肉、６０…第一の分離層、６１…第二の分離層、６２…重合レジン（ベース部）、６３…ワックス（表層部）、６４…パターン
【図１】
2019076686.tif 000005
【図２】
2019076686.tif 000006
【図３】
2019076686.tif 000007
【図４】
2019076686.tif 000008
【図５】
2019076686.tif 000009
【図６】
2019076686.tif 000010
【図７】
2019076686.tif 000011
【図８】
2019076686.tif 000012
【図９】
2019076686.tif 000013
【図１０】
2019076686.tif 000014
【図１１】
2019076686.tif 000015
【図１２】
2019076686.tif 000016
【図１３】
2019076686.tif 000017
【図１４】
2019076686.tif 000018
【図１５】
2019076686.tif 000019
【図１６】
2019076686.tif 000020
【図１７】
2019076686.tif 000021
【図１８】
2019076686.tif 000022
【図１９】
2019076686.tif 000023
【図２０】
2019076686.tif 000024
【図２１】
2019076686.tif 000025
【図２２】
2019076686.tif 000026
【図２３】
2019076686.tif 000027
【図２４】
2019076686.tif 000028
【図２５】
2019076686.tif 000029
【図２６】
2019076686.tif 000030
【図２７】
2019076686.tif 000031
【図２８】
2019076686.tif 000032
【図２９】
2019076686.tif 000033
【図３０】
2019076686.tif 000034
【図３１】
2019076686.tif 000035
【図３２】
2019076686.tif 000036